(57)【要約】【課題】光アンプによって信号光を増幅してから受信する場合に、消費電力を抑えること。【解決手段】受信装置９において、増幅ファイバ１１は、信号光を受信する受信器１５へ入力される信号光のレベルが受信器１５のダイナミックレンジ内に納まるように、励起光源１２から励起光が供給されるときに信号光を増幅し、励起光の供給停止時に信号光を減衰させる特性を有する。制御部１３は、励起光源１２から増幅ファイバ１１への励起光の供給及び停止を制御する。制御部１３は、増幅ファイバ１１へ入力される信号光のレベルが第１の入力閾値１４よりも高いか、増幅ファイバ１１から出力される信号光のレベルが第１の出力閾値１４よりも高いか、または励起光源１２の駆動パラメータが第１の駆動閾値１４よりも小さい場合に、励起光の供給を停止する。【選択図】図２
2014049988.tif 000002
【特許請求の範囲】
【請求項１】
信号光を受信する受信器と、
前記受信器へ入力される信号光のレベルが前記受信器のダイナミックレンジ内に納まるように、励起光の供給時に信号光を増幅し、励起光の供給停止時に信号光を減衰させる特性を有する増幅ファイバと、
前記増幅ファイバに励起光を供給する励起光源と、
前記励起光源から前記増幅ファイバへの励起光の供給及び停止を制御する制御部と、
を有し、
前記制御部は、
前記増幅ファイバへ入力される信号光のレベルが第１の入力閾値よりも高いか、前記増幅ファイバから出力される信号光のレベルが第１の出力閾値よりも高いか、または前記励起光源の駆動パラメータが第１の駆動閾値よりも小さい場合に、前記励起光の供給を停止することを特徴とする受信装置。
【請求項２】
前記制御部は、
前記増幅ファイバへ入力される信号光のレベルが前記第１の入力閾値よりも高く、かつ前記増幅ファイバから出力される信号光のレベルが前記第１の出力閾値よりも高い場合に、前記励起光の供給を停止することを特徴とする請求項１に記載の受信装置。
【請求項３】
前記制御部は、
前記増幅ファイバから出力される信号光のレベルが前記第１の出力閾値よりも高いか、または前記励起光源の駆動パラメータが前記第１の駆動閾値よりも小さい場合に、前記励起光の供給を停止することを特徴とする請求項１に記載の受信装置。
【請求項４】
前記制御部は、
前記増幅ファイバから出力される信号光のレベルが前記第１の出力閾値よりも高く、かつ前記増幅ファイバへ入力される信号光のレベルが前記第１の入力閾値よりも低い場合、または前記励起光源の駆動パラメータが前記第１の駆動閾値よりも小さい場合に、前記励起光の供給を停止することを特徴とする請求項１に記載の受信装置。
【請求項５】
前記制御部は、
前記増幅ファイバへ入力される信号光のレベルが、前記第１の入力閾値よりも低い第２の入力閾値よりもさらに低いか、前記増幅ファイバから出力される信号光のレベルが、前記第１の出力閾値よりも低い第２の出力閾値よりもさらに低いか、または前記励起光源の駆動パラメータが、前記第１の駆動閾値よりも大きい第２の駆動閾値よりもさらに大きい場合に、前記増幅ファイバから出力される信号光のレベルに基づいて前記励起光源の駆動状態を制御するフィードバック制御を行い、
前記増幅ファイバへ入力される信号光のレベルが前記第２の入力閾値よりも高く、かつ前記第１の入力閾値よりも低いか、前記増幅ファイバから出力される信号光のレベルが前記第２の出力閾値よりも高く、かつ前記第１の出力閾値よりも低いか、または前記励起光源の駆動パラメータが前記第１の駆動閾値よりも大きく、かつ前記第２の駆動閾値よりも小さい場合に、前記フィードバック制御を停止することを特徴とする請求項１に記載の受信装置。
【請求項６】
信号光を受信する受信器へ入力される信号光のレベルが前記受信器のダイナミックレンジ内に納まるように、励起光の供給時に信号光を増幅し、励起光の供給停止時に信号光を減衰させる特性を有する増幅ファイバへ入力される信号光のレベル、前記増幅ファイバから出力される信号光のレベル、及び前記増幅ファイバに励起光を供給する励起光源の駆動パラメータのいずれか一つ以上を監視し、
前記増幅ファイバへ入力される信号光のレベルが第１の入力閾値よりも低いか、前記増幅ファイバから出力される信号光のレベルが第１の出力閾値よりも低いか、または前記励起光源の駆動パラメータが第１の駆動閾値よりも大きい場合に、前記励起光源から前記増幅ファイバへ励起光を供給し、
前記増幅ファイバへ入力される信号光のレベルが前記第１の入力閾値よりも高いか、前記増幅ファイバから出力される信号光のレベルが前記第１の出力閾値よりも高いか、または前記励起光源の駆動パラメータが前記第１の駆動閾値よりも小さい場合に、前記励起光源から前記増幅ファイバへの励起光の供給を停止することを特徴とする受信方法。
【請求項７】
前記増幅ファイバへ入力される信号光のレベルが、前記第１の入力閾値よりも低い第２の入力閾値よりもさらに低いか、前記増幅ファイバから出力される信号光のレベルが、前記第１の出力閾値よりも低い第２の出力閾値よりもさらに低いか、または前記励起光源の駆動パラメータが、前記第１の駆動閾値よりも大きい第２の駆動閾値よりもさらに大きい場合に、前記増幅ファイバから出力される信号光のレベルに基づいて前記励起光源の駆動状態を制御するフィードバック制御を行い、
前記増幅ファイバへ入力される信号光のレベルが前記第２の入力閾値よりも高く、かつ前記第１の入力閾値よりも低いか、前記増幅ファイバから出力される信号光のレベルが前記第２の出力閾値よりも高く、かつ前記第１の出力閾値よりも低いか、または前記励起光源の駆動パラメータが前記第１の駆動閾値よりも大きく、かつ前記第２の駆動閾値よりも小さい場合に、前記フィードバック制御を停止することを特徴とする請求項６に記載の受信方法。
【発明の詳細な説明】
【技術分野】
【０００１】
この発明は、受信装置及び受信方法に関する。
【背景技術】
【０００２】
従来、光アンプの一つに、希土類添加ファイバアンプがある。希土類添加ファイバアンプに励起光が入力されると、希土類添加ファイバアンプを伝搬する信号光が増幅される。また、光アンプの一つに分布ラマンアンプがある。波長多重（Ｗａｖｅｌｅｎｇｔｈ  Ｄｉｖｉｓｉｏｎ  Ｍｕｌｔｉｐｌｅｘｉｎｇ：ＷＤＭ）光の各チャネルの信号雑音比（Ｏｐｔｉｃａｌ  Ｓｉｇｎａｌ−ｔｏ−Ｎｏｉｓｅ  Ｒａｔｉｏ：ＯＳＮＲ）のモニタ値に基づいて、ラマン励起光源の駆動状態を制御する分布ラマンアンプがある（例えば、特許文献１参照）。
【先行技術文献】
【特許文献】
【０００３】
【特許文献１】特開２０１０−１２２５４８号公報
【発明の概要】
【発明が解決しようとする課題】
【０００４】
信号光を受信する受信器を有する受信装置において、受信装置の要求する最小受信レベルが受信器の保証する最小受信レベルよりも低い場合がある。そのような場合、例えば受信器の前に１波増幅用光アンプを配置して信号光を増幅し、受信器への入力レベルが受信器のダイナミックレンジ内に入るようにしてもよい。例えばエルビウム添加光ファイバ（Ｅｒｂｉｕｍ  Ｄｏｐｅｄ  Ｆｉｂｅｒ  Ａｍｐｌｉｆｉｅｒ：ＥＤＦＡ）は、１波増幅用光アンプとして用いられることがある。
【０００５】
光アンプによって安定して信号光を増幅するには、受信装置への入力レベルが高い場合でも利得を得る必要がある。そのため、受信装置への入力レベルが高い場合には、増幅によって受信器への入力レベルが受信器の最大入力レベルを超えてしまう虞がある。その対策として、光アンプの後に光減衰器を配置し、光アンプによる増幅後の信号光を光減衰器により減衰させてから受信器へ入力させるようにしてもよい。
【０００６】
しかしながら、光アンプによって一旦、信号光を増幅してから光減衰器によって減衰させるのでは、エネルギー効率が悪い。そのため、消費電力が多いという問題点がある。エネルギー効率を良くして消費電力を減らすには、増幅後の信号光を減衰させる光減衰器を設けないのが望ましい。
【０００７】
光アンプによって信号光を増幅してから受信する場合に、消費電力を抑えることができる受信装置及び受信方法を提供することを目的とする。
【課題を解決するための手段】
【０００８】
受信装置は、受信器、増幅ファイバ、励起光源及び制御部を有する。受信器は、信号光を受信する。増幅ファイバは、受信器へ入力される信号光のレベルが受信器のダイナミックレンジ内に納まるように、励起光の供給時に信号光を増幅し、励起光の供給停止時に信号光を減衰させる特性を有する。励起光源は、増幅ファイバに励起光を供給する。制御部は、増幅ファイバへ入力される信号光のレベル、増幅ファイバから出力される信号光のレベル及び励起光源の駆動パラメータのいずれか一つ以上に基づいて、励起光源から増幅ファイバへの励起光の供給及び停止を制御する。制御部は、増幅ファイバへ入力される信号光のレベルが第１の入力閾値よりも高いか、増幅ファイバから出力される信号光のレベルが第１の出力閾値よりも高いか、または励起光源の駆動パラメータが第１の駆動閾値よりも小さい場合に、励起光の供給を停止する。
【発明の効果】
【０００９】
この受信装置及び受信方法によれば、光アンプによって信号光を増幅してから受信する場合に、消費電力を抑えることができる。
【図面の簡単な説明】
【００１０】
【図１】図１は、実施の形態にかかる光通信システムの一例を示す図である。
【図２】図２は、実施の形態にかかる受信装置の一例を示す図である。
【図３】図３は、図２に示す受信装置における信号の流れを示す図である。
【図４】図４は、図２に示す受信装置の受信レベルと受信器の受信レベルとの関係を示す図である。
【図５】図５は、実施の形態にかかる受信方法の一例を示す図である。
【図６】図６は、実施の形態にかかる受信装置の別の例を示す図である。
【図７】図７は、図６に示す受信装置による受信方法の一例を示す図である。
【図８】図８は、実施の形態にかかる受信装置の別の例を示す図である。
【図９】図９は、図８に示す受信装置による受信方法の一例を示す図である。
【図１０】図１０は、実施の形態にかかる受信装置の別の例を示す図である。
【図１１】図１１は、図１０に示す受信装置による受信方法の一例を示す図である。
【図１２】図１２は、実施の形態にかかる受信装置の別の例を示す図である。
【図１３】図１３は、図１２に示す受信装置による受信方法の一例を示す図である。
【図１４】図１４は、実施の形態にかかる受信装置の別の例を示す図である。
【図１５】図１５は、図１４に示す受信装置による受信方法の一例を示す図である。
【図１６】図１６は、実施の形態にかかる受信装置の別の例を示す図である。
【図１７】図１７は、図１６に示す受信装置による受信方法の一例を示す図である。
【図１８】図１８は、実施の形態にかかる受信装置の別の例を示す図である。
【図１９】図１９は、図１８に示す受信装置による受信方法の一例を示す図である。
【図２０】図２０は、実施の形態にかかる受信装置の別の例を示す図である。
【図２１】図２１は、図２０に示す受信装置による受信方法の一例を示す図である。
【図２２】図２２は、実施の形態にかかる受信装置の別の例を示す図である。
【発明を実施するための形態】
【００１１】
以下に添付図面を参照して、この受信装置及び受信方法の好適な実施の形態を詳細に説明する。以下の各実施例の説明においては、同様の構成要素には同一の符号を付して、重複する説明を省略する。
【００１２】
・光通信システムの一例
図１は、実施の形態にかかる光通信システムの一例を示す図である。図１に示す光通信システム１においては、複数の異なる波長の信号光が多重化されて光伝送路を伝搬する波長分割多重通信方式が用いられている。図１に示すように、光通信システム１は、例えば光伝送路２、ＷＤＭ用光送信アンプ３、ＷＤＭ用光受信アンプ４、光分岐挿入装置（Ｏｐｔｉｃａｌ  Ａｄｄ−Ｄｒｏｐ  Ｍｕｌｔｉｐｌｅｘｅｒ：ＯＡＤＭ）５、ドロップ部６及びアッド部７を有していてもよい。
【００１３】
光伝送路２は、信号光の伝搬路である。光伝送路２の一例として、例えば光ファイバや光導波路が挙げられる。
【００１４】
ＷＤＭ用光送信アンプ３は、例えば光伝送路２に接続されている。ＷＤＭ用光送信アンプ３は、光分岐挿入装置５から出力され、光伝送路２を伝搬するＷＤＭ光を増幅する。ＷＤＭ用光送信アンプ３の一例として、例えばエルビウム添加光ファイバを有する光アンプが挙げられる。
【００１５】
ＷＤＭ用光受信アンプ４は、例えば光伝送路２に接続されている。ＷＤＭ用光受信アンプ４は、光伝送路２を伝搬し、光分岐挿入装置５に入力されるＷＤＭ光を増幅する。ＷＤＭ用光受信アンプ４の一例として、例えばエルビウム添加光ファイバを有する光アンプが挙げられる。
【００１６】
光分岐挿入装置５は、例えばＷＤＭ用光受信アンプ４とＷＤＭ用光送信アンプ３との間に配置されている。光分岐挿入装置５は、光分岐挿入装置５に入力されるＷＤＭ光から所望の波長の信号光を抜き出してドロップ部６へ送る。光分岐挿入装置５は、アッド部７から送られる種々の波長の信号光をＷＤＭ光に挿入して光伝送路２へ送り出す。
【００１７】
ドロップ部６は、光分岐挿入装置５に接続されている。ドロップ部６は、光分岐挿入装置５により抜き出される信号光を波長ごとに受信する。ドロップ部６は、例えば分波部８及び複数の受信装置９を有していてもよい。
【００１８】
分波部８は、光分岐挿入装置５に接続されている。分波部８は、光分岐挿入装置５により抜き出される信号光を波長ごとに分離する。分波部８には、例えば分波部８により分離される信号光の波長数に対応する数分の受信装置９が接続されている。
【００１９】
各受信装置９は、分波部８により分離される複数の波長の信号光のうち、対応する波長の信号光を受信する。受信装置９は、信号光を電気信号に変換して図示省略する後段の処理部へ送る。受信装置９の詳細については、後述する。アッド部７は、光分岐挿入装置５に接続されている。アッド部７は、種々の波長の信号光を生成して光分岐挿入装置５へ送る。
【００２０】
・受信装置の一例（例１）
図２は、実施の形態にかかる受信装置の一例を示す図である。図３は、図２に示す受信装置における信号の流れを示す図である。図２及び図３に示すように、受信装置９は、例えば増幅ファイバ１１、励起光源１２、制御部１３、閾値１４及び受信器１５を有していてもよい。
【００２１】
増幅ファイバ１１は、入力ポート１６に接続されている。入力ポート１６は、光伝送路２を介してドロップ部６の分波部８（図１参照）に接続されている。増幅ファイバ１１は、励起光源１２から励起光が供給されているときに、入力ポート１６から入力される信号光を増幅する。また、増幅ファイバ１１は、励起光の供給が停止されているときに、入力ポート１６から入力される信号光を減衰させる。増幅ファイバ１１は、増幅ファイバ１１から出力される信号光の出力レベルが受信器１５のダイナミックレンジ内に納まるように、増幅ファイバ１１へ入力される信号光を増幅し、または減衰させる特性を有する。
【００２２】
図４は、図２に示す受信装置の受信レベルと受信器の受信レベルとの関係を示す図である。図４に示すように、受信装置の受信レベルが低い場合には、増幅ファイバ１１によって信号光が増幅される。一方、受信装置の受信レベルが高い場合には、増幅ファイバ１１によって信号光が減衰する。それによって、増幅ファイバ１１へ入力される信号光の入力レベルが高くても低くても、受信器１５に入力される信号光の入力レベルは、受信器１５のダイナミックレンジ内に納まる。
【００２３】
増幅ファイバ１１の一例として、例えば希土類添加光ファイバが挙げられる。希土類添加光ファイバの一例として、例えばエルビウム添加光ファイバが挙げられる。エルビウム添加光ファイバは、希土類エルビウムの誘導放出を利用する光アンプである。エルビウム添加光ファイバは、例えば１．５５μｍ帯または１．５８μｍ帯の信号光を増幅することができる。
【００２４】
エルビウム添加光ファイバの特性は、ファイバの長さ、エルビウムの添加濃度、信号光の波長、エルビウム添加光ファイバへの信号光の入力レベル及び利得などの種々のパラメータによって変化する。エルビウム添加光ファイバの増幅特性は、吸収と放射との比で決まる。励起光の供給が停止されると、吸収が大きな割合を占める。それによって、励起光の供給停止時に信号光を減衰させることができる。エルビウム添加光ファイバの利得及び長さを調整し、励起光の停止時におけるエルビウム添加光ファイバの吸収量を抑えることによって、図４に示すような増幅及び減衰の特性を実現することができる。
【００２５】
なお、増幅したい信号光の波長に応じて、エルビウム添加光ファイバ以外の希土類添加光ファイバを用いることができる。例えば、ツリウム添加光ファイバを用いることによって、１．５μｍ帯の信号光を増幅するようにしてもよい。あるいは、プラセオジム添加光ファイバを用いることによって、１．３μｍ帯の信号光を増幅するようにしてもよい。
【００２６】
図３に示すように、受信器１５は、増幅ファイバ１１に接続されている。受信器１５は、増幅ファイバ１１から出力される信号光を受信する。受信器１５の一例として、例えばデジタルコヒーレント受信器が挙げられる。デジタルコヒーレント受信器は、光信号を受信し、光電変換により光信号から生成される電気信号に対してデジタル信号処理を行うことによって、分散などの特性の変動に対する補償を行う。
【００２７】
励起光源１２は、増幅ファイバ１１に接続されている。励起光源１２は、増幅ファイバ１１に励起光を供給する。励起光源１２の一例として、例えばポンプレーザーと呼ばれるレーザーダイオード（Ｌａｓｅｒ  Ｄｉｏｄｅ：ＬＤ）が挙げられる。
【００２８】
制御部１３は、励起光源１２に接続されている。制御部１３は、増幅ファイバ１１へ入力される信号光の入力レベルを監視してもよい。制御部１３は、増幅ファイバ１１から出力される信号光の出力レベルを監視してもよい。制御部１３は、励起光源１２の駆動パラメータを監視してもよい。
【００２９】
あるいは、制御部１３は、増幅ファイバ１１へ入力される信号光の入力レベル、増幅ファイバ１１から出力される信号光の出力レベル、及び励起光源１２の駆動パラメータのいずれか２つまたは３つを組み合わせて監視してもよい。励起光源１２の駆動パラメータの一例として、例えば励起光源１２から出力される励起光の出力パワー、または励起光源１２から励起光を出力させるための駆動電流が挙げられる。
【００３０】
制御部１３には、閾値１４が与えられる。閾値１４は、例えばメモリに記憶されていてもよい。閾値１４の一例として、例えば入力閾値、出力閾値または駆動閾値が挙げられる。入力閾値は、増幅ファイバ１１へ入力される信号光の入力レベルに対する閾値である。出力閾値は、増幅ファイバ１１から出力される信号光の出力レベルに対する閾値である。駆動閾値は、励起光源１２の駆動パラメータに対する閾値である。
【００３１】
制御部１３は、増幅ファイバ１１へ入力される信号光の入力レベルが入力閾値よりも低い場合に、励起光源１２を駆動してもよい。制御部１３は、増幅ファイバ１１へ入力される信号光の入力レベルが入力閾値よりも高い場合に、励起光源１２の駆動を停止してもよい。
【００３２】
制御部１３は、増幅ファイバ１１から出力される信号光の出力レベルが出力閾値よりも低い場合に、励起光源１２を駆動してもよい。制御部１３は、増幅ファイバ１１から出力される信号光の出力レベルが出力閾値よりも高い場合に、励起光源１２の駆動を停止してもよい。
【００３３】
制御部１３は、励起光源１２の駆動パラメータが駆動閾値よりも大きい場合に、励起光源１２を駆動してもよい。制御部１３は、励起光源１２の駆動パラメータが駆動閾値よりも小さい場合に、励起光源１２の駆動を停止してもよい。
【００３４】
励起光源１２が駆動されることによって、励起光源１２から増幅ファイバ１１へ励起光が供給される。励起光源１２の駆動が停止されることによって、励起光源１２から増幅ファイバ１１への励起光の供給が停止される。
【００３５】
・受信方法の一例
図５は、実施の形態にかかる受信方法の一例を示す図である。図５に示す受信方法は、図２に示す受信装置により実施されてもよい。本実施例では、図２に示す受信装置が、図５に示す受信方法を実施する場合について説明する。
【００３６】
図５に示すように、受信装置９において信号光の受信が開始されると、制御部１３は、増幅ファイバ１１へ入力される信号光の入力レベルを監視する。または、制御部１３は、増幅ファイバ１１から出力される信号光の出力レベルを監視してもよい。または、制御部１３は、励起光源１２の駆動パラメータを監視してもよい。あるいは、制御部１３は、信号光の入力レベル、信号光の出力レベル及び励起光源１２の駆動パラメータのうちの２つまたは３つを監視してもよい（ステップＳ１）。
【００３７】
次いで、制御部１３は、閾値１４を参照する。そして、制御部１３は、増幅ファイバ１１へ入力される信号光の入力レベルが入力閾値よりも低いか否かを判断する。または、制御部１３は、増幅ファイバ１１から出力される信号光の出力レベルが出力閾値よりも低いか否かを判断してもよい。または、制御部１３は、励起光源１２の駆動パラメータが駆動閾値よりも大きいか否かを判断してもよい。あるいは、制御部１３は、信号光の入力レベルが入力閾値よりも低いか否か、信号光の出力レベルが出力閾値よりも低いか否か、及び励起光源１２の駆動パラメータが駆動閾値よりも大きいか否か、の２つまたは３つを判断してもよい（ステップＳ２）。
【００３８】
ステップＳ２において、信号光の入力レベルの条件を満たすか否かを判断するとする。入力レベルが入力閾値よりも低い場合（ステップＳ２：Ｙｅｓ）、制御部１３は、励起光源１２を駆動する。それによって、増幅ファイバ１１に励起光源１２から励起光が供給される（ステップＳ３）。一方、入力レベルが入力閾値よりも低くない場合（ステップＳ２：Ｎｏ）、制御部１３は、励起光源１２の駆動を停止する。それによって、励起光源１２から増幅ファイバ１１への励起光の供給が停止される（ステップＳ４）。そして、一連の処理が終了する。
【００３９】
ステップＳ２において、信号光の出力レベルの条件を満たすか否かを判断するとする。出力レベルが出力閾値よりも低い場合（ステップＳ２：Ｙｅｓ）、制御部１３は、励起光源１２を駆動する。それによって、増幅ファイバ１１に励起光源１２から励起光が供給される（ステップＳ３）。一方、出力レベルが出力閾値よりも低くない場合（ステップＳ２：Ｎｏ）、制御部１３は、励起光源１２の駆動を停止する。それによって、励起光源１２から増幅ファイバ１１への励起光の供給が停止される（ステップＳ４）。そして、一連の処理が終了する。
【００４０】
ステップＳ２において、励起光源１２の駆動パラメータの条件を満たすか否かを判断するとする。駆動パラメータが駆動閾値よりも大きい場合（ステップＳ２：Ｙｅｓ）、制御部１３は、励起光源１２を駆動する。それによって、増幅ファイバ１１に励起光源１２から励起光が供給される（ステップＳ３）。一方、駆動パラメータが駆動閾値よりも大きくない場合（ステップＳ２：Ｎｏ）、制御部１３は、励起光源１２の駆動を停止する。それによって、励起光源１２から増幅ファイバ１１への励起光の供給が停止される（ステップＳ４）。そして、一連の処理が終了する。
【００４１】
ステップＳ２において、信号光の入力レベルの条件及び信号光の出力レベルの条件を満たすか否かを判断するとする。入力レベルが入力閾値よりも低く、かつ出力レベルが出力閾値よりも低い場合（ステップＳ２：Ｙｅｓ）、制御部１３は、励起光源１２を駆動する。それによって、増幅ファイバ１１に励起光源１２から励起光が供給される（ステップＳ３）。一方、入力レベルが入力閾値よりも低くないか、または出力レベルが出力閾値よりも低くない場合（ステップＳ２：Ｎｏ）、制御部１３は、励起光源１２の駆動を停止する。それによって、励起光源１２から増幅ファイバ１１への励起光の供給が停止される（ステップＳ４）。そして、一連の処理が終了する。
【００４２】
ステップＳ２において、信号光の入力レベルの条件及び励起光源１２の駆動パラメータの条件を満たすか否かを判断するとする。入力レベルが入力閾値よりも低く、かつ駆動パラメータが駆動閾値よりも大きい場合（ステップＳ２：Ｙｅｓ）、制御部１３は、励起光源１２を駆動する。それによって、増幅ファイバ１１に励起光源１２から励起光が供給される（ステップＳ３）。一方、入力レベルが入力閾値よりも低くないか、または駆動パラメータが駆動閾値よりも大きくない場合（ステップＳ２：Ｎｏ）、制御部１３は、励起光源１２の駆動を停止する。それによって、励起光源１２から増幅ファイバ１１への励起光の供給が停止される（ステップＳ４）。そして、一連の処理が終了する。
【００４３】
ステップＳ２において、信号光の出力レベルの条件及び励起光源１２の駆動パラメータの条件を満たすか否かを判断するとする。出力レベルが出力閾値よりも低く、かつ駆動パラメータが駆動閾値よりも大きい場合（ステップＳ２：Ｙｅｓ）、制御部１３は、励起光源１２を駆動する。それによって、増幅ファイバ１１に励起光源１２から励起光が供給される（ステップＳ３）。一方、出力レベルが出力閾値よりも低くないか、または駆動パラメータが駆動閾値よりも大きくない場合（ステップＳ２：Ｎｏ）、制御部１３は、励起光源１２の駆動を停止する。それによって、励起光源１２から増幅ファイバ１１への励起光の供給が停止される（ステップＳ４）。そして、一連の処理が終了する。
【００４４】
ステップＳ２において、信号光の入力レベルの条件、信号光の出力レベルの条件及び励起光源１２の駆動パラメータの条件を満たすか否かを判断するとする。入力レベルが入力閾値よりも低く、かつ出力レベルが出力閾値よりも低く、かつ駆動パラメータが駆動閾値よりも大きい場合（ステップＳ２：Ｙｅｓ）、制御部１３は、励起光源１２を駆動する。それによって、増幅ファイバ１１に励起光源１２から励起光が供給される（ステップＳ３）。一方、入力レベルが入力閾値よりも低くないか、または出力レベルが出力閾値よりも低くないか、または駆動パラメータが駆動閾値よりも大きくない場合（ステップＳ２：Ｎｏ）、制御部１３は、励起光源１２の駆動を停止する。それによって、励起光源１２から増幅ファイバ１１への励起光の供給が停止される（ステップＳ４）。そして、一連の処理が終了する。
【００４５】
図２に示す受信装置９及び図５に示す受信方法によれば、増幅ファイバ１１により、受信器１５のダイナミックレンジ内に納まるように、信号光が増幅され、または減衰する。従って、光減衰器を設けずに済むことによって、光減衰器で消費される分の電力を削減することができる。また、受信装置９に入力される信号光を、一旦、受信器１５のダイナミックレンジを超えるレベルまで増幅させずに済むことによって、励起光源１２の駆動に消費される電力を削減することができる。
【００４６】
・受信装置の別の例（例２）
図６は、実施の形態にかかる受信装置の別の例を示す図である。図６に示すように、受信装置９は、例えば光伝送路２１、光カプラ２２、ＰＤ（Ｐｈｏｔｏｄｉｏｄｅ、フォトダイオード）２３、入力監視部２４、入力断閾値２５、入力閾値２６、増幅ファイバ１１、ポンプＬＤ２７及び受信器１５を有していてもよい。ＰＤ２３及び入力監視部２４は、制御部の一例である。ポンプＬＤ２７は、励起光源の一例である。
【００４７】
光伝送路２１は、入力ポート１６に接続されている。光伝送路２１は、信号光の伝搬路である。光伝送路２１の一例として、例えば光ファイバや光導波路が挙げられる。
【００４８】
光カプラ２２は、光伝送路２１に接続されている。光カプラ２２は、光伝送路２１から入力される信号光を２方向へ分岐させる。
【００４９】
増幅ファイバ１１は、光カプラ２２の一方の出力ポートに接続されている。増幅ファイバ１１は、ポンプＬＤ２７に接続されている。増幅ファイバ１１は、光カプラ２２の一方の出力ポートから出力される信号光を、ポンプＬＤ２７から励起光が供給される場合に増幅し、ポンプＬＤ２７からの励起光の供給が停止される場合に減衰させる。増幅ファイバ１１の特性及び詳細については、図２に示す受信装置９の説明において説明した通りであるので、重複する説明を省略する。
【００５０】
受信器１５は、増幅ファイバ１１に接続されている。受信器１５は、増幅ファイバ１１から出力される信号光を受信する。
【００５１】
ＰＤ２３は、光カプラ２２の他方の出力ポートに接続されている。ＰＤ２３は、光カプラ２２の他方の出力ポートから出力される信号光を受光し、信号光の入力レベルに対応する電気信号に変換する。
【００５２】
入力監視部２４は、ＰＤ２３に接続されている。入力監視部２４は、ＰＤ２３から供給される電気信号に基づいて、増幅ファイバ１１へ入力される信号光の入力レベルを監視する。
【００５３】
入力監視部２４には、入力断閾値２５及び入力閾値２６が与えられる。入力断閾値２５及び入力閾値２６は、例えばメモリに記憶されていてもよい。入力断閾値２５及び入力閾値２６は、増幅ファイバ１１による信号光の増幅を停止させるための閾値である。入力閾値２６は、入力断閾値２５よりも高いレベルである。受信装置９への信号光の入力レベルが入力閾値２６よりも高い場合、入力監視部２４は、ポンプＬＤ２７へ停止信号を出力する。それによって、ポンプＬＤ２７から増幅ファイバ１１への励起光の供給が停止し、増幅ファイバ１１によって信号光が減衰する。
【００５４】
受信装置９への信号光の入力レベルが入力断閾値２５よりも低い場合、光増幅特性や光急変耐力などの特性を満足させることが不可能になる虞がある。そこで、受信装置９への信号光の入力レベルが入力断閾値２５よりも低い場合、入力監視部２４は、ポンプＬＤ２７へ停止信号を出力する。それによって、ポンプＬＤ２７から増幅ファイバ１１への励起光の供給が停止し、増幅ファイバ１１による信号光の増幅が停止するので、光増幅特性や光急変耐力などの特性を満足させることができる。
【００５５】
ポンプＬＤ２７は、入力監視部２４に接続されている。ポンプＬＤ２７は、入力監視部２４から停止信号を受け取ると、駆動を停止し、励起光の出力を停止する。
【００５６】
・図６に示す受信装置による受信方法の一例
図７は、図６に示す受信装置による受信方法の一例を示す図である。図７に示すように、受信装置９が立ち上げられると（ステップＳ１１）、入力監視部２４は、増幅ファイバ１１へ入力される信号光の入力レベルを監視する（ステップＳ１２）。そして、入力監視部２４は、監視している入力レベルが入力断閾値以上であるか否かを判断する（ステップＳ１３）。
【００５７】
入力レベルが入力断閾値以上である場合（ステップＳ１３：Ｙｅｓ）、入力監視部２４は、監視している入力レベルが入力閾値以下であるか否かを判断する（ステップＳ１４）。入力レベルが入力閾値以下である場合（ステップＳ１４：Ｙｅｓ）、入力監視部２４は、ポンプＬＤ２７へ停止信号を出力しない。それによって、ポンプＬＤ２７が駆動され、ポンプＬＤ２７から増幅ファイバ１１へ励起光が供給され、増幅ファイバ１１において信号光が増幅される（ステップＳ１５）。
【００５８】
このときのポンプＬＤ２７に対する制御は、例えばポンプＬＤ２７の駆動電流を一定に保つように制御する電流一定制御（Ａｕｔｏ  Ｃｕｒｒｅｎｔ  Ｃｏｎｔｒｏｌ：ＡＣＣ）であってもよい。電流一定制御は、オープンループ制御の一例である。そして、ステップＳ１２へ戻り、ステップＳ１２〜ステップＳ１６を繰り返す。
【００５９】
一方、入力レベルが入力断閾値以上でない場合（ステップＳ１３：Ｎｏ）、または入力レベルが入力閾値以下でない場合（ステップＳ１４：Ｎｏ）、入力監視部２４は、ポンプＬＤ２７へ停止信号を出力する。それによって、ポンプＬＤ２７の駆動が停止し、ポンプＬＤ２７から増幅ファイバ１１への励起光の供給が停止する（ステップＳ１６）。そして、ステップＳ１２へ戻り、ステップＳ１２〜ステップＳ１６を繰り返す。
【００６０】
図６に示す受信装置９及び図７に示す受信方法によれば、増幅ファイバ１１へ入力される信号光の入力レベルに基づいてポンプＬＤ２７の駆動及び駆動の停止が制御される。それによって、増幅ファイバ１１により、受信器１５のダイナミックレンジ内に納まるように、信号光が増幅され、または減衰する。従って、光減衰器を設けずに済むことによって、光減衰器で消費される分の電力を削減することができる。また、受信装置９に入力される信号光を、一旦、受信器１５のダイナミックレンジを超えるレベルまで増幅させずに済むことによって、ポンプＬＤ２７の駆動に消費される電力を削減することができる。
【００６１】
・受信装置の別の例（例３）
図８は、実施の形態にかかる受信装置の別の例を示す図である。図８に示すように、受信装置９は、例えば光伝送路２１、光カプラ２２、ＰＤ２３、入力監視部２４、入力断閾値２５、入力閾値２６、増幅ファイバ１１、ポンプＬＤ２７、受信器１５、光カプラ３１、ＰＤ３２及びＡＬＣ制御部３３を有していてもよい。
【００６２】
ＰＤ２３、入力監視部２４、ＰＤ３２及びＡＬＣ制御部３３は、制御部の一例である。光伝送路２１、光カプラ２２、ＰＤ２３、入力監視部２４、入力断閾値２５、入力閾値２６、増幅ファイバ１１、ポンプＬＤ２７及び受信器１５については、図６に示す受信装置９の説明において説明した通りであるので、重複する説明を省略する。
【００６３】
光カプラ３１は、増幅ファイバ１１の出力ポートに接続されている。光カプラ３１は、増幅ファイバ１１から出力される信号光を２方向へ分岐させる。
【００６４】
受信器１５は、光カプラ３１の一方の出力ポートに接続されている。受信器１５は、光カプラ３１の一方の出力ポートから出力される信号光を受信する。
【００６５】
ＰＤ３２は、光カプラ３１の他方の出力ポートに接続されている。ＰＤ３２は、光カプラ３１の他方の出力ポートから出力される信号光を受光し、増幅ファイバ１１から出力される信号光の出力レベルに対応する電気信号に変換する。
【００６６】
ＡＬＣ制御部３３は、ＰＤ３２に接続されている。ＡＬＣ制御部３３は、ＰＤ３２から供給される電気信号に基づいて、ポンプＬＤ２７に対して、例えば増幅ファイバ１１から出力される信号光の出力レベルを一定に保つようにポンプＬＤ２７の出力パワーを制御する信号出力一定制御（Ａｕｔｏｍａｔｉｃ  Ｌｅｖｅｌ  Ｃｏｎｔｒｏｌ：ＡＬＣ）を行う。信号出力一定制御は、フィードバック制御の一例である。
【００６７】
ＡＬＣ制御部３３は、入力監視部２４から、ポンプＬＤ２７に対する制御方法を変更する指示を受け取ると、ポンプＬＤ２７に対する制御方法を変更する。例えば、ＡＬＣ制御部３３は、ポンプＬＤ２７に対する制御方法を信号出力一定制御から電流一定制御に変更してもよい。変更後の電流一定制御においては、ポンプＬＤ２７の駆動電流量を、信号出力一定制御を行っているときの駆動電流量以下の電流量に設定し、ポンプＬＤ２７から出力される励起光の出力レベルを、信号出力一定制御を行っているときよりも低いレベルにしてもよい。電流一定制御は、フィードバック制御を停止する制御の一例である。
【００６８】
入力監視部２４は、ＰＤ２３から供給される電気信号に基づいて、増幅ファイバ１１へ入力される信号光の入力レベルを監視する。入力監視部２４は、監視している入力レベルに応じてポンプＬＤ２７に対する制御方法を変更する指示をＡＬＣ制御部３３へ出力する。
【００６９】
図８に示す受信装置９の説明においては、図６に示す受信装置９の説明において「入力閾値」とする閾値を「第１の入力閾値」と読み替える。入力閾値２６には、第１の入力閾値及び第２の入力閾値があるとする。第２の入力閾値は、第１の入力閾値よりも低いレベルであり、かつ入力断閾値２５よりも高いレベルであるとする。第１の入力閾値は、増幅ファイバ１１による信号光の増幅を停止させるための閾値である。第２の入力閾値は、ポンプＬＤ２７に対する制御方法を変更させるための閾値であるとする。
【００７０】
受信装置９への信号光の入力レベルが第１の入力閾値よりも高い場合、入力監視部２４は、ポンプＬＤ２７へ停止信号を出力する。それによって、ポンプＬＤ２７から増幅ファイバ１１への励起光の供給が停止し、増幅ファイバ１１によって信号光が減衰する。
【００７１】
受信装置９への信号光の入力レベルが第２の入力閾値よりも高く、かつ第１の入力閾値よりも低い場合、入力監視部２４は、ポンプＬＤ２７に対する制御方法を変更する指示をＡＬＣ制御部３３へ出力する。それによって、ポンプＬＤ２７に対する制御方法が変更される。
【００７２】
受信装置９への信号光の入力レベルが入力断閾値２５よりも高く、かつ第２の入力閾値よりも低い場合、入力監視部２４は、ポンプＬＤ２７に対する制御方法を変更する指示をＡＬＣ制御部３３へ出力しない。それによって、ＡＬＣ制御部３３は、ポンプＬＤ２７に対して信号出力一定制御を行う。
【００７３】
受信装置９への信号光の入力レベルが入力断閾値２５よりも低い場合、入力監視部２４は、ポンプＬＤ２７へ停止信号を出力する。それによって、ポンプＬＤ２７から増幅ファイバ１１への励起光の供給が停止し、増幅ファイバ１１による信号光の増幅が停止するので、光増幅特性や光急変耐力などの特性を満足させることができる。
【００７４】
・図８に示す受信装置による受信方法の一例
図９は、図８に示す受信装置による受信方法の一例を示す図である。なお、図９においては、「第１の入力閾値」を「入力閾値１」と表し、「第２の入力閾値」を「入力閾値２」と表す。
【００７５】
図９に示すように、受信装置９が立ち上げられると（ステップＳ２１）、入力監視部２４は、増幅ファイバ１１へ入力される信号光の入力レベルを監視する（ステップＳ２２）。そして、入力監視部２４は、監視している入力レベルが入力断閾値以上であるか否かを判断する（ステップＳ２３）。
【００７６】
入力レベルが入力断閾値以上である場合（ステップＳ２３：Ｙｅｓ）、入力監視部２４は、監視している入力レベルが第２の入力閾値以下であるか否かを判断する（ステップＳ２４）。入力レベルが第２の入力閾値以下である場合（ステップＳ２４：Ｙｅｓ）、入力監視部２４は、ポンプＬＤ２７への停止信号及びＡＬＣ制御部３３への制御方法の変更指示を出力しない。
【００７７】
それによって、ポンプＬＤ２７が通常の制御方法、例えば信号出力一定制御によって駆動される。従って、ポンプＬＤ２７から増幅ファイバ１１へ励起光が供給され、増幅ファイバ１１において信号光が増幅される（ステップＳ２５）。そして、ステップＳ２２へ戻り、ステップＳ２２〜ステップＳ２８を繰り返す。
【００７８】
一方、入力レベルが第２の入力閾値以下でない場合（ステップＳ２４：Ｎｏ）、入力監視部２４は、入力レベルが第１の入力閾値以下であるか否かを判断する（ステップＳ２６）。入力レベルが第１の入力閾値以下である場合（ステップＳ２６：Ｙｅｓ）、入力監視部２４は、ポンプＬＤ２７へ停止信号を出力せず、ＡＬＣ制御部３３へ制御方法の変更指示を出力する。
【００７９】
それによって、ポンプＬＤ２７が変更後の制御方法、例えば電流一定制御によって駆動される。従って、ポンプＬＤ２７から増幅ファイバ１１へ低い出力レベルの励起光が供給され、増幅ファイバ１１において信号光が増幅される（ステップＳ２７）。そして、ステップＳ２２へ戻り、ステップＳ２２〜ステップＳ２８を繰り返す。
【００８０】
一方、入力レベルが入力断閾値以上でない場合（ステップＳ２３：Ｎｏ）、または入力レベルが第１の入力閾値以下でない場合（ステップＳ２６：Ｎｏ）、入力監視部２４は、ポンプＬＤ２７へ停止信号を出力する。それによって、ポンプＬＤ２７の駆動が停止し、ポンプＬＤ２７から増幅ファイバ１１への励起光の供給が停止する（ステップＳ２８）。そして、ステップＳ２２へ戻り、ステップＳ２２〜ステップＳ２８を繰り返す。
【００８１】
図８に示す受信装置９及び図９に示す受信方法によれば、増幅ファイバ１１へ入力される信号光の入力レベルに基づいてポンプＬＤ２７の駆動、駆動の停止及び駆動の制御方法が制御される。それによって、増幅ファイバ１１により、受信器１５のダイナミックレンジ内に納まるように、信号光が増幅され、または減衰する。従って、光減衰器を設けずに済むことによって、光減衰器で消費される分の電力を削減することができる。また、受信装置９に入力される信号光を、一旦、受信器１５のダイナミックレンジを超えるレベルまで増幅させずに済むことによって、ポンプＬＤ２７の駆動に消費される電力を削減することができる。
【００８２】
また、増幅ファイバ１１へ入力される信号光の入力レベルがある程度高い場合、例えば第２の入力閾値よりも高い場合に信号出力一定制御を行うと、ポンプＬＤ２７の駆動電流量が小さくなってポンプＬＤ２７の出力に対するフィードバック制御が困難になる虞がある。増幅ファイバ１１へ入力される信号光の入力レベルに基づいてポンプＬＤ２７に対する制御方法が例えば電流一定制御に切り替わることによって、フィードバック制御からオープンループ制御に切り替わる。それによって、ポンプＬＤ２７に対する制御が困難になるのを回避することができる。
【００８３】
また、電流一定制御において、ポンプＬＤ２７の駆動電流量が、信号出力一定制御における駆動電流量以下の電流量に設定される。それによって、ポンプＬＤ２７の駆動に消費される電力を削減することができる。
【００８４】
・受信装置の別の例（例４）
図１０は、実施の形態にかかる受信装置の別の例を示す図である。図１０に示すように、受信装置９は、例えば光伝送路２１、光カプラ２２、ＰＤ２３、入力監視部２４、入力断閾値２５、入力閾値２６、増幅ファイバ１１、ポンプＬＤ２７、受信器１５、光カプラ３１、ＰＤ３２、ＡＬＣ制御部３３、出力監視部３４、出力閾値３５及び判定部３６を有していてもよい。
【００８５】
ＰＤ２３、入力監視部２４、ＰＤ３２、ＡＬＣ制御部３３、出力監視部３４及び判定部３６は、制御部の一例である。光伝送路２１、光カプラ２２、ＰＤ２３、入力監視部２４、入力断閾値２５、入力閾値２６、増幅ファイバ１１、ポンプＬＤ２７、受信器１５、光カプラ３１、ＰＤ３２及びＡＬＣ制御部３３については、図８に示す受信装置９の説明において説明した通りであるので、重複する説明を省略する。
【００８６】
出力監視部３４は、ＰＤ３２に接続されている。出力監視部３４は、ＰＤ３２から供給される電気信号に基づいて、増幅ファイバ１１から出力される信号光の出力レベルを監視する。出力監視部３４には、出力閾値３５が与えられる。出力閾値３５は、例えばメモリに記憶されていてもよい。
【００８７】
出力閾値３５には、第１の出力閾値及び第２の出力閾値があるとする。第２の出力閾値は、第１の出力閾値よりも低いレベルであるとする。第１の出力閾値は、増幅ファイバ１１による信号光の増幅を停止させるための閾値である。第２の出力閾値は、ポンプＬＤ２７に対する制御方法を変更させるための閾値であるとする。
【００８８】
従って、出力監視部３４は、監視している出力レベルが第１の出力閾値よりも高いか低いかを判定する。また、出力監視部３４は、監視している出力レベルが第２の出力閾値よりも高いか低いかを判定する。出力監視部３４は、判定結果を判定部３６へ出力する。
【００８９】
入力監視部２４は、ＰＤ２３から供給される電気信号に基づいて、増幅ファイバ１１へ入力される信号光の入力レベルを監視する。入力監視部２４は、監視している入力レベルが第１の入力閾値よりも高いか低いかを判定する。また、入力監視部２４は、監視している入力レベルが第２の入力閾値よりも高いか低いかを判定する。第１の入力閾値及び第２の入力閾値については、図８に示す受信装置９の説明において説明した通りであるので、重複する説明を省略する。入力監視部２４は、判定結果を判定部３６へ出力する。
【００９０】
入力監視部２４は、増幅ファイバ１１へ入力される信号光の入力レベルが入力断閾値２５よりも低い場合、ポンプＬＤ２７へ停止信号を出力する。それによって、ポンプＬＤ２７から増幅ファイバ１１への励起光の供給が停止し、増幅ファイバ１１による信号光の増幅が停止するので、光増幅特性や光急変耐力などの特性を満足させることができる。
【００９１】
判定部３６は、入力監視部２４及び出力監視部３４に接続されている。受信装置９への信号光の入力レベルが第２の入力閾値よりも低く、かつ増幅ファイバ１１から出力される信号光の出力レベルが第２の出力閾値よりも低い場合、判定部３６は、ポンプＬＤ２７に対する制御方法を変更する指示をＡＬＣ制御部３３へ出力しない。それによって、ＡＬＣ制御部３３は、ポンプＬＤ２７に対して信号出力一定制御を行う。
【００９２】
受信装置９への信号光の入力レベルが第２の入力閾値と第１の入力閾値との間にあり、かつ増幅ファイバ１１から出力される信号光の出力レベルが第２の出力閾値と第１の出力閾値との間にある場合、判定部３６は、ポンプＬＤ２７に対する制御方法を変更する指示をＡＬＣ制御部３３へ出力する。それによって、ポンプＬＤ２７に対する制御方法が変更される。
【００９３】
受信装置９への信号光の入力レベルが第１の入力閾値よりも高く、かつ増幅ファイバ１１から出力される信号光の出力レベルが第１の出力閾値よりも高い場合、判定部３６は、ポンプＬＤ２７へ停止信号を出力する。それによって、ポンプＬＤ２７から増幅ファイバ１１への励起光の供給が停止し、増幅ファイバ１１によって信号光が減衰する。
【００９４】
ＡＬＣ制御部３３は、ＰＤ３２及び判定部３６に接続されている。ＡＬＣ制御部３３は、判定部３６から、ポンプＬＤ２７に対する制御方法を変更する指示を受け取ると、ポンプＬＤ２７に対する制御方法を変更する。例えば、ＡＬＣ制御部３３は、ポンプＬＤ２７に対する制御方法を信号出力一定制御から電流一定制御に変更してもよい。変更後の電流一定制御においては、ポンプＬＤ２７の駆動電流量を、信号出力一定制御を行っているときの駆動電流量以下の電流量に設定し、ポンプＬＤ２７から出力される励起光の出力レベルを、信号出力一定制御を行っているときよりも低いレベルにしてもよい。
【００９５】
ポンプＬＤ２７は、入力監視部２４、ＡＬＣ制御部３３及び判定部３６に接続されている。ポンプＬＤ２７は、入力監視部２４から停止信号を受け取ると、駆動を停止し、励起光の出力を停止する。ポンプＬＤ２７は、判定部３６から停止信号を受け取ると、駆動を停止し、励起光の出力を停止する。
【００９６】
・図１０に示す受信装置による受信方法の一例
図１１は、図１０に示す受信装置による受信方法の一例を示す図である。なお、図１１においては、「第１の入力閾値」を「入力閾値１」と表し、「第２の入力閾値」を「入力閾値２」と表す。また、「第１の出力閾値」を「出力閾値１」と表し、「第２の出力閾値」を「出力閾値２」と表す。
【００９７】
図１１に示すように、受信装置９が立ち上げられると（ステップＳ３１）、入力監視部２４は、増幅ファイバ１１へ入力される信号光の入力レベルを監視する。また、出力監視部３４は、増幅ファイバ１１から出力される信号光の出力レベルを監視する（ステップＳ３２）。そして、入力監視部２４は、監視している入力レベルが入力断閾値以上であるか否かを判断する（ステップＳ３３）。
【００９８】
入力レベルが入力断閾値以上でない場合（ステップＳ３３：Ｎｏ）、入力監視部２４は、ポンプＬＤ２７へ停止信号を出力する。それによって、ポンプＬＤ２７の駆動が停止し、ポンプＬＤ２７から増幅ファイバ１１への励起光の供給が停止する（ステップＳ３８）。そして、ステップＳ３２へ戻り、ステップＳ３２〜ステップＳ３８を繰り返す。
【００９９】
入力レベルが入力断閾値以上である場合（ステップＳ３３：Ｙｅｓ）、入力監視部２４は、監視している入力レベルが第１の入力閾値よりも高いか低いか、あるいは第２の入力閾値よりも高いか低いか、を判定する。そして、入力監視部２４は、その判定結果を判定部３６へ出力する。また、出力監視部３４は、監視している出力レベルが第１の出力閾値よりも高いか低いか、あるいは第２の出力閾値よりも高いか低いか、を判定する。出力監視部３４は、判定結果を判定部３６へ出力する。
【０１００】
受信装置９への信号光の入力レベルが第２の入力閾値以下であり、かつ増幅ファイバ１１から出力される信号光の出力レベルが第２の出力閾値以下である場合（ステップＳ３４：Ｙｅｓ）、判定部３６は、ポンプＬＤ２７へ停止信号を出力しない。また、判定部３６は、ポンプＬＤ２７に対する制御方法を変更する指示をＡＬＣ制御部３３へ出力しない。
【０１０１】
それによって、ポンプＬＤ２７が通常の制御方法、例えば信号出力一定制御によって駆動される。従って、ポンプＬＤ２７から増幅ファイバ１１へ励起光が供給され、増幅ファイバ１１において信号光が増幅される（ステップＳ３５）。そして、ステップＳ３２へ戻り、ステップＳ３２〜ステップＳ３８を繰り返す。
【０１０２】
一方、受信装置９への信号光の入力レベルが第２の入力閾値以下でないか、または増幅ファイバ１１から出力される信号光の出力レベルが第２の出力閾値以下でない場合（ステップＳ３４：Ｎｏ）には、ステップＳ３６へ進む。受信装置９への信号光の入力レベルが第１の入力閾値以下であり、かつ増幅ファイバ１１から出力される信号光の出力レベルが第１の出力閾値以下である場合（ステップＳ３６：Ｙｅｓ）、判定部３６は、ポンプＬＤ２７へ停止信号を出力せず、ＡＬＣ制御部３３へ制御方法の変更指示を出力する。
【０１０３】
それによって、ポンプＬＤ２７が変更後の制御方法、例えば電流一定制御によって駆動される。従って、ポンプＬＤ２７から増幅ファイバ１１へ低い出力レベルの励起光が供給され、増幅ファイバ１１において信号光が増幅される（ステップＳ３７）。そして、ステップＳ３２へ戻り、ステップＳ３２〜ステップＳ３８を繰り返す。
【０１０４】
一方、受信装置９への信号光の入力レベルが第１の入力閾値以下でないか、または増幅ファイバ１１から出力される信号光の出力レベルが第１の出力閾値以下でない場合（ステップＳ３６：Ｎｏ）、判定部３６は、ポンプＬＤ２７へ停止信号を出力する。それによって、ポンプＬＤ２７の駆動が停止し、ポンプＬＤ２７から増幅ファイバ１１への励起光の供給が停止する（ステップＳ３８）。そして、ステップＳ３２へ戻り、ステップＳ３２〜ステップＳ３８を繰り返す。
【０１０５】
図１０に示す受信装置９及び図１１に示す受信方法によれば、増幅ファイバ１１へ入力される信号光の入力レベル及び増幅ファイバ１１から出力される信号光の出力レベルに基づいてポンプＬＤ２７の駆動、駆動の停止及び駆動の制御方法が制御される。それによって、増幅ファイバ１１により、受信器１５のダイナミックレンジ内に納まるように、信号光が増幅され、または減衰する。従って、光減衰器を設けずに済むことによって、光減衰器で消費される分の電力を削減することができる。また、受信装置９に入力される信号光を、一旦、受信器１５のダイナミックレンジを超えるレベルまで増幅させずに済むことによって、ポンプＬＤ２７の駆動に消費される電力を削減することができる。
【０１０６】
また、増幅ファイバ１１へ入力される信号光の入力レベルがある程度高い場合、例えば第２の入力閾値よりも高い場合や、増幅ファイバ１１から出力される信号光の出力レベルがある程度高い場合、ポンプＬＤ２７に対する制御方法がオープンループ制御に切り替わる。それによって、ポンプＬＤ２７に対する制御が困難になるのを回避することができる。
【０１０７】
また、増幅ファイバ１１の増幅特性及び吸収特性に波長特性がある場合、増幅ファイバ１１から出力される光信号の出力レベルは、同じ励起光パワーでも波長ごとに異なる。つまり、波長が異なれば、同じ利得を得るのに必要な励起光パワーが異なる。信号光の出力レベルを監視することによって、電流一定制御から信号出力一定制御に戻るときに、利得の小さい波長の信号光は増幅ファイバ１１への入力レベルの高いところで切り替わり、利得の大きい波長の信号光は入力レベルの低いところで切り替わるように制御することができる。
【０１０８】
・受信装置の別の例（例５）
図１２は、実施の形態にかかる受信装置の別の例を示す図である。図１２に示すように、受信装置９は、例えば励起光パワー監視部３７及び励起光パワー下限閾値３８を有していてもよい。また、受信装置９は、例えば光伝送路２１、光カプラ２２、ＰＤ２３、入力監視部２４、入力断閾値２５、増幅ファイバ１１、ポンプＬＤ２７、受信器１５、光カプラ３１、ＰＤ３２、ＡＬＣ制御部３３、出力監視部３４、出力閾値３５及び判定部３６を有していてもよい。
【０１０９】
ＰＤ２３、入力監視部２４、ＰＤ３２、ＡＬＣ制御部３３、出力監視部３４、判定部３６及び励起光パワー監視部３７は、制御部の一例である。光伝送路２１、光カプラ２２、ＰＤ２３、入力監視部２４、入力断閾値２５、増幅ファイバ１１、ポンプＬＤ２７、受信器１５、光カプラ３１、ＰＤ３２、ＡＬＣ制御部３３、出力監視部３４、出力閾値３５及び判定部３６については、図１０に示す受信装置９の説明において説明した通りである。従って、重複する説明を省略する。
【０１１０】
励起光パワー監視部３７は、ポンプＬＤ２７に接続されている。励起光パワー監視部３７は、ポンプＬＤ２７に内蔵されているモニタ用のＰＤから供給される電気信号に基づいて、ポンプＬＤ２７から出力される励起光の出力パワーを監視する。励起光の出力パワーは、励起光源の駆動パラメータの一例である。励起光パワー監視部３７には、励起光パワー下限閾値３８が与えられる。励起光パワー下限閾値３８は、駆動閾値の一例である。励起光パワー下限閾値３８は、例えばメモリに記憶されていてもよい。
【０１１１】
励起光パワー下限閾値３８には、第１の励起光パワー閾値及び第２の励起光パワー閾値があるとする。第２の励起光パワー閾値は、第１の励起光パワー閾値よりも大きいとする。第１の励起光パワー閾値は、増幅ファイバ１１による信号光の増幅を停止させるための閾値である。第２の励起光パワー閾値は、ポンプＬＤ２７に対する制御方法を変更させるための閾値であるとする。
【０１１２】
従って、励起光パワー監視部３７は、監視している励起光の出力パワーが第１の励起光パワー閾値よりも大きいか小さいかを判定する。また、励起光パワー監視部３７は、監視している励起光の出力パワーが第２の励起光パワー閾値よりも大きいか小さいかを判定する。励起光パワー監視部３７は、判定結果を判定部３６へ出力する。
【０１１３】
入力監視部２４は、増幅ファイバ１１へ入力される信号光の入力レベルが入力断閾値２５よりも低い場合、ポンプＬＤ２７へ停止信号を出力する。それによって、ポンプＬＤ２７から増幅ファイバ１１への励起光の供給が停止し、増幅ファイバ１１による信号光の増幅が停止するので、光増幅特性や光急変耐力などの特性を満足させることができる。
【０１１４】
判定部３６は、励起光パワー監視部３７及び出力監視部３４に接続されている。増幅ファイバ１１から出力される信号光の出力レベルが第２の出力閾値よりも低く、かつ励起光の出力パワーが第２の励起光パワー閾値よりも大きい場合、判定部３６は、ポンプＬＤ２７に対する制御方法を変更する指示をＡＬＣ制御部３３へ出力しない。それによって、ＡＬＣ制御部３３は、ポンプＬＤ２７に対して信号出力一定制御を行う。
【０１１５】
増幅ファイバ１１から出力される信号光の出力レベルが第２の出力閾値よりも低く、かつ励起光の出力パワーが第１の励起光パワー閾値と第２の励起光パワー閾値との間にある場合、判定部３６は、ポンプＬＤ２７に対する制御方法を変更する指示をＡＬＣ制御部３３へ出力する。それによって、ポンプＬＤ２７に対する制御方法が変更される。
【０１１６】
また、増幅ファイバ１１から出力される信号光の出力レベルが第２の出力閾値と第１の出力閾値との間にある場合、判定部３６は、ポンプＬＤ２７に対する制御方法を変更する指示をＡＬＣ制御部３３へ出力する。それによって、ポンプＬＤ２７に対する制御方法が変更される。
【０１１７】
増幅ファイバ１１から出力される信号光の出力レベルが第１の出力閾値よりも高い場合、判定部３６は、ポンプＬＤ２７へ停止信号を出力する。それによって、ポンプＬＤ２７から増幅ファイバ１１への励起光の供給が停止し、増幅ファイバ１１によって信号光が減衰する。
【０１１８】
また、励起光の出力パワーが第１の励起光パワー閾値よりも小さい場合、判定部３６は、ポンプＬＤ２７へ停止信号を出力する。それによって、ポンプＬＤ２７から増幅ファイバ１１への励起光の供給が停止し、増幅ファイバ１１によって信号光が減衰する。
【０１１９】
・図１２に示す受信装置による受信方法の一例
図１３は、図１２に示す受信装置による受信方法の一例を示す図である。なお、図１３においては、「第１の励起光パワー閾値」を「励起光パワー閾値１」と表し、「第２の励起光パワー閾値」を「励起光パワー閾値２」と表す。また、「第１の出力閾値」を「出力閾値１」と表し、「第２の出力閾値」を「出力閾値２」と表す。
【０１２０】
図１３に示すように、受信装置９が立ち上げられると（ステップＳ４１）、出力監視部３４は、増幅ファイバ１１から出力される信号光の出力レベルを監視する（ステップＳ４２）。また、入力監視部２４は、増幅ファイバ１１へ入力される信号光の入力レベルを監視する。入力監視部２４は、監視している入力レベルが入力断閾値以上であるか否かを判断する（ステップＳ４３）。
【０１２１】
入力レベルが入力断閾値以上でない場合（ステップＳ４３：Ｎｏ）、入力監視部２４は、ポンプＬＤ２７へ停止信号を出力する。それによって、ポンプＬＤ２７の駆動が停止し、ポンプＬＤ２７から増幅ファイバ１１への励起光の供給が停止する（ステップＳ５２）。そして、ステップＳ４２へ戻り、ステップＳ４２〜ステップＳ５２を繰り返す。
【０１２２】
入力レベルが入力断閾値以上である場合（ステップＳ４３：Ｙｅｓ）、出力監視部３４は、監視している出力レベルが第１の出力閾値よりも高いか低いか、あるいは第２の出力閾値よりも高いか低いか、を判定する。出力監視部３４は、判定結果を判定部３６へ出力する。
【０１２３】
増幅ファイバ１１から出力される信号光の出力レベルが第２の出力閾値以下である場合（ステップＳ４４：Ｙｅｓ）、判定部３６は、ポンプＬＤ２７へ停止信号を出力しない。また、判定部３６は、ポンプＬＤ２７に対する制御方法を変更する指示をＡＬＣ制御部３３へ出力しない。
【０１２４】
それによって、ポンプＬＤ２７が通常の制御方法、例えば信号出力一定制御によって駆動される。従って、ポンプＬＤ２７から増幅ファイバ１１へ励起光が供給され、増幅ファイバ１１において信号光が増幅される（ステップＳ４５）。
【０１２５】
また、励起光パワー監視部３７は、ポンプＬＤ２７から出力される励起光の出力パワーを監視する（ステップＳ４６）。励起光パワー監視部３７は、監視している励起光の出力パワーが第１の励起光パワー閾値よりも高いか低いか、あるいは第２の励起光パワー閾値よりも高いか低いか、を判定する。そして、励起光パワー監視部３７は、その判定結果を判定部３６へ出力する。
【０１２６】
励起光パワー監視部３７は、監視している励起光の出力パワーが第２の励起光パワー閾値以下でない場合（ステップＳ４７：Ｎｏ）、ステップＳ４６へ戻る。そして、励起光パワー監視部３７は、励起光の出力パワーの監視（ステップＳ４６）、並びに第２の励起光パワー閾値との比較及び判定（ステップＳ４７）を続ける。
【０１２７】
励起光の出力パワーと第２の励起光パワー閾値との比較及び判定の結果、励起光の出力パワーが第２の励起光パワー閾値以下であると（ステップＳ４７：Ｙｅｓ）、ステップＳ４８へ進む。励起光の出力パワーが第１の励起光パワー閾値以下でない場合（ステップＳ４８：Ｎｏ）、判定部３６は、ポンプＬＤ２７へ停止信号を出力せず、ＡＬＣ制御部３３へ制御方法の変更指示を出力する。
【０１２８】
それによって、ポンプＬＤ２７が変更後の制御方法、例えば電流一定制御によって駆動される。従って、ポンプＬＤ２７から増幅ファイバ１１へ低い出力レベルの励起光が供給され、増幅ファイバ１１において信号光が増幅される（ステップＳ４９）。そして、ステップＳ４２へ戻り、ステップＳ４２〜ステップＳ５２を繰り返す。
【０１２９】
励起光の出力パワーが第１の励起光パワー閾値以下である場合（ステップＳ４８：Ｙｅｓ）、判定部３６は、ポンプＬＤ２７へ停止信号を出力する。それによって、ポンプＬＤ２７の駆動が停止し、ポンプＬＤ２７から増幅ファイバ１１への励起光の供給が停止する（ステップＳ５２）。そして、ステップＳ４２へ戻り、ステップＳ４２〜ステップＳ５２を繰り返す。
【０１３０】
一方、増幅ファイバ１１から出力される信号光の出力レベルが第２の出力閾値以下でない場合（ステップＳ４４：Ｎｏ）、ステップＳ５０へ進む。増幅ファイバ１１から出力される信号光の出力レベルが第１の出力閾値以下である場合（ステップＳ５０：Ｙｅｓ）、判定部３６は、ポンプＬＤ２７へ停止信号を出力せず、ＡＬＣ制御部３３へ制御方法の変更指示を出力する。
【０１３１】
それによって、ポンプＬＤ２７が変更後の制御方法、例えば電流一定制御によって駆動される。従って、ポンプＬＤ２７から増幅ファイバ１１へ低い出力レベルの励起光が供給され、増幅ファイバ１１において信号光が増幅される（ステップＳ５１）。そして、ステップＳ４２へ戻り、ステップＳ４２〜ステップＳ５２を繰り返す。
【０１３２】
増幅ファイバ１１から出力される信号光の出力レベルが第１の出力閾値以下でない場合（ステップＳ５０：Ｎｏ）、判定部３６は、ポンプＬＤ２７へ停止信号を出力する。それによって、ポンプＬＤ２７の駆動が停止し、ポンプＬＤ２７から増幅ファイバ１１への励起光の供給が停止する（ステップＳ５２）。そして、ステップＳ４２へ戻り、ステップＳ４２〜ステップＳ５２を繰り返す。
【０１３３】
図１２に示す受信装置９及び図１３に示す受信方法によれば、増幅ファイバ１１から出力される信号光の出力レベル、及びポンプＬＤ２７から出力される励起光の出力パワーに基づいてポンプＬＤ２７の駆動、駆動の停止及び駆動の制御方法が制御される。それによって、増幅ファイバ１１により、受信器１５のダイナミックレンジ内に納まるように、信号光が増幅され、または減衰する。従って、光減衰器を設けずに済むことによって、光減衰器で消費される分の電力を削減することができる。また、受信装置９に入力される信号光を、一旦、受信器１５のダイナミックレンジを超えるレベルまで増幅させずに済むことによって、ポンプＬＤ２７の駆動に消費される電力を削減することができる。
【０１３４】
また、増幅ファイバ１１から出力される信号光の出力レベルがある程度高い場合や、ポンプＬＤ２７から出力される励起光の出力パワーがある程度小さい場合、ポンプＬＤ２７に対する制御方法がオープンループ制御に切り替わる。それによって、ポンプＬＤ２７に対する制御が困難になるのを回避することができる。また、増幅ファイバ１１の増幅特性及び吸収特性に波長特性がある場合、励起光の出力パワーを監視することによって、電流一定制御から信号出力一定制御に戻るときに、波長に応じた信号光の入力レベルで切り替わるように制御することができる。
【０１３５】
・受信装置の別の例（例６）
図１４は、実施の形態にかかる受信装置の別の例を示す図である。図１４に示すように、受信装置９は、例えば励起光パワー監視部３７及び励起光パワー下限閾値３８を有していてもよい。また、受信装置９は、例えば光伝送路２１、光カプラ２２、ＰＤ２３、入力監視部２４、入力断閾値２５、入力閾値２６、増幅ファイバ１１、ポンプＬＤ２７、受信器１５、光カプラ３１、ＰＤ３２、ＡＬＣ制御部３３、出力監視部３４、出力閾値３５及び判定部３６を有していてもよい。
【０１３６】
ＰＤ２３、入力監視部２４、ＰＤ３２、ＡＬＣ制御部３３、出力監視部３４、判定部３６及び励起光パワー監視部３７は、制御部の一例である。励起光パワー監視部３７及び励起光パワー下限閾値３８については、図１２に示す受信装置９の説明において説明した通りである。また、入力監視部２４及び入力閾値２６については、図８に示す受信装置９の説明において説明した通りである。また、光伝送路２１、光カプラ２２、ＰＤ２３、入力断閾値２５、増幅ファイバ１１、ポンプＬＤ２７、受信器１５、光カプラ３１、ＰＤ３２、ＡＬＣ制御部３３、出力監視部３４、出力閾値３５及び判定部３６については、図１２に示す受信装置９の説明において説明した通りである。従って、重複する説明を省略する。
【０１３７】
入力監視部２４は、ＰＤ２３から供給される電気信号に基づいて、増幅ファイバ１１へ入力される信号光の入力レベルを監視する。入力監視部２４は、監視している入力レベルが第１の入力閾値よりも高いか低いかを判定する。また、入力監視部２４は、監視している入力レベルが第２の入力閾値よりも高いか低いかを判定する。第１の入力閾値及び第２の入力閾値については、図８に示す受信装置９の説明において説明した通りであるので、重複する説明を省略する。入力監視部２４は、判定結果を判定部３６へ出力する。
【０１３８】
判定部３６は、入力監視部２４、励起光パワー監視部３７及び出力監視部３４に接続されている。増幅ファイバ１１から出力される信号光の出力レベルが第２の出力閾値よりも低く、かつ増幅ファイバ１１へ入力される信号光の入力レベルが第２の入力閾値よりも低く、かつ励起光の出力パワーが第２の励起光パワー閾値よりも大きい場合、判定部３６は、ポンプＬＤ２７に対する制御方法を変更する指示をＡＬＣ制御部３３へ出力しない。それによって、ＡＬＣ制御部３３は、ポンプＬＤ２７に対して信号出力一定制御を行う。
【０１３９】
信号光の出力レベルが第２の出力閾値よりも低く、かつ信号光の入力レベルが第２の入力閾値よりも低く、かつ励起光の出力パワーが第１の励起光パワー閾値と第２の励起光パワー閾値との間にある場合、判定部３６は、ポンプＬＤ２７に対する制御方法を変更する指示をＡＬＣ制御部３３へ出力する。それによって、ポンプＬＤ２７に対する制御方法が変更される。
【０１４０】
また、信号光の出力レベルが第２の出力閾値と第１の出力閾値との間にあり、かつ信号光の入力レベルが第２の入力閾値と第１の入力閾値との間にある場合、判定部３６は、ポンプＬＤ２７に対する制御方法を変更する指示をＡＬＣ制御部３３へ出力する。それによって、ポンプＬＤ２７に対する制御方法が変更される。
【０１４１】
信号光の出力レベルが第１の出力閾値よりも高く、かつ信号光の入力レベルが第１の入力閾値よりも高い場合、判定部３６は、ポンプＬＤ２７へ停止信号を出力する。それによって、ポンプＬＤ２７から増幅ファイバ１１への励起光の供給が停止し、増幅ファイバ１１によって信号光が減衰する。
【０１４２】
また、励起光の出力パワーが第１の励起光パワー閾値よりも小さい場合、判定部３６は、ポンプＬＤ２７へ停止信号を出力する。それによって、ポンプＬＤ２７から増幅ファイバ１１への励起光の供給が停止し、増幅ファイバ１１によって信号光が減衰する。
【０１４３】
・図１４に示す受信装置による受信方法の一例
図１５は、図１４に示す受信装置による受信方法の一例を示す図である。なお、図１５においては、「第１の励起光パワー閾値」を「励起光パワー閾値１」と表し、「第２の励起光パワー閾値」を「励起光パワー閾値２」と表す。また、「第１の入力閾値」を「入力閾値１」と表し、「第２の入力閾値」を「入力閾値２」と表す。また、「第１の出力閾値」を「出力閾値１」と表し、「第２の出力閾値」を「出力閾値２」と表す。
【０１４４】
図１５に示すように、受信装置９が立ち上げられると（ステップＳ６１）、入力監視部２４は、増幅ファイバ１１へ入力される信号光の入力レベルを監視する。出力監視部３４は、増幅ファイバ１１から出力される信号光の出力レベルを監視する（ステップＳ６２）。そして、入力監視部２４は、監視している入力レベルが入力断閾値以上であるか否かを判断する（ステップＳ６３）。
【０１４５】
入力レベルが入力断閾値以上でない場合（ステップＳ６３：Ｎｏ）、入力監視部２４は、ポンプＬＤ２７へ停止信号を出力する。それによって、ポンプＬＤ２７の駆動が停止し、ポンプＬＤ２７から増幅ファイバ１１への励起光の供給が停止する（ステップＳ７２）。そして、ステップＳ６２へ戻り、ステップＳ６２〜ステップＳ７２を繰り返す。
【０１４６】
入力レベルが入力断閾値以上である場合（ステップＳ６３：Ｙｅｓ）、入力監視部２４は、監視している入力レベルが第１の入力閾値よりも高いか低いか、あるいは第２の入力閾値よりも高いか低いか、を判定する。そして、入力監視部２４は、その判定結果を判定部３６へ出力する。また、出力監視部３４は、監視している出力レベルが第１の出力閾値よりも高いか低いか、あるいは第２の出力閾値よりも高いか低いか、を判定する。出力監視部３４は、判定結果を判定部３６へ出力する。
【０１４７】
受信装置９への信号光の入力レベルが第２の入力閾値以下であり、かつ増幅ファイバ１１から出力される信号光の出力レベルが第２の出力閾値以下である場合（ステップＳ６４：Ｙｅｓ）、判定部３６は、ポンプＬＤ２７へ停止信号を出力しない。また、判定部３６は、ポンプＬＤ２７に対する制御方法を変更する指示をＡＬＣ制御部３３へ出力しない。
【０１４８】
それによって、ポンプＬＤ２７が通常の制御方法、例えば信号出力一定制御によって駆動される。従って、ポンプＬＤ２７から増幅ファイバ１１へ励起光が供給され、増幅ファイバ１１において信号光が増幅される（ステップＳ６５）。
【０１４９】
また、励起光パワー監視部３７は、ポンプＬＤ２７から出力される励起光の出力パワーを監視する（ステップＳ６６）。励起光パワー監視部３７は、監視している励起光の出力パワーが第１の励起光パワー閾値よりも高いか低いか、あるいは第２の励起光パワー閾値よりも高いか低いか、を判定する。そして、励起光パワー監視部３７は、その判定結果を判定部３６へ出力する。
【０１５０】
励起光パワー監視部３７は、監視している励起光の出力パワーが第２の励起光パワー閾値以下でない場合（ステップＳ６７：Ｎｏ）、ステップＳ６６へ戻る。そして、励起光パワー監視部３７は、励起光の出力パワーの監視（ステップＳ６６）、並びに第２の励起光パワー閾値との比較及び判定（ステップＳ６７）を続ける。
【０１５１】
励起光の出力パワーと第２の励起光パワー閾値との比較及び判定の結果、励起光の出力パワーが第２の励起光パワー閾値以下であると（ステップＳ６７：Ｙｅｓ）、ステップＳ６８へ進む。励起光の出力パワーが第１の励起光パワー閾値以下でない場合（ステップＳ６８：Ｎｏ）、判定部３６は、ポンプＬＤ２７へ停止信号を出力せず、ＡＬＣ制御部３３へ制御方法の変更指示を出力する。
【０１５２】
それによって、ポンプＬＤ２７が変更後の制御方法、例えば電流一定制御によって駆動される。従って、ポンプＬＤ２７から増幅ファイバ１１へ低い出力レベルの励起光が供給され、増幅ファイバ１１において信号光が増幅される（ステップＳ６９）。そして、ステップＳ６２へ戻り、ステップＳ６２〜ステップＳ７２を繰り返す。
【０１５３】
励起光の出力パワーが第１の励起光パワー閾値以下である場合（ステップＳ６８：Ｙｅｓ）、判定部３６は、ポンプＬＤ２７へ停止信号を出力する。それによって、ポンプＬＤ２７の駆動が停止し、ポンプＬＤ２７から増幅ファイバ１１への励起光の供給が停止する（ステップＳ７２）。そして、ステップＳ６２へ戻り、ステップＳ６２〜ステップＳ７２を繰り返す。
【０１５４】
一方、受信装置９への信号光の入力レベルが第２の入力閾値以下でないか、または増幅ファイバ１１から出力される信号光の出力レベルが第２の出力閾値以下でない場合（ステップＳ６４：Ｎｏ）、ステップＳ７０へ進む。受信装置９への信号光の入力レベルが第１の入力閾値以下であり、かつ増幅ファイバ１１から出力される信号光の出力レベルが第１の出力閾値以下である場合（ステップＳ７０：Ｙｅｓ）、判定部３６は、ポンプＬＤ２７へ停止信号を出力せず、ＡＬＣ制御部３３へ制御方法の変更指示を出力する。
【０１５５】
それによって、ポンプＬＤ２７が変更後の制御方法、例えば電流一定制御によって駆動される。従って、ポンプＬＤ２７から増幅ファイバ１１へ低い出力レベルの励起光が供給され、増幅ファイバ１１において信号光が増幅される（ステップＳ７１）。そして、ステップＳ６２へ戻り、ステップＳ６２〜ステップＳ７２を繰り返す。
【０１５６】
受信装置９への信号光の入力レベルが第１の入力閾値以下でないか、または増幅ファイバ１１から出力される信号光の出力レベルが第１の出力閾値以下でない場合（ステップＳ７０：Ｎｏ）、判定部３６は、ポンプＬＤ２７へ停止信号を出力する。それによって、ポンプＬＤ２７の駆動が停止し、ポンプＬＤ２７から増幅ファイバ１１への励起光の供給が停止する（ステップＳ７２）。そして、ステップＳ６２へ戻り、ステップＳ６２〜ステップＳ７２を繰り返す。
【０１５７】
図１４に示す受信装置９及び図１５に示す受信方法によれば、増幅ファイバ１１への信号光の入力レベル、増幅ファイバ１１からの信号光の出力レベル、及び励起光の出力パワーに基づいてポンプＬＤ２７の駆動、駆動の停止及び駆動の制御方法が制御される。それによって、増幅ファイバ１１により、受信器１５のダイナミックレンジ内に納まるように、信号光が増幅され、または減衰する。従って、光減衰器を設けずに済むことによって、光減衰器で消費される分の電力を削減することができる。また、受信装置９に入力される信号光を、一旦、受信器１５のダイナミックレンジを超えるレベルまで増幅させずに済むことによって、ポンプＬＤ２７の駆動に消費される電力を削減することができる。
【０１５８】
また、増幅ファイバ１１への信号光の入力レベルがある程度高い場合や、増幅ファイバ１１からの信号光の出力レベルがある程度高い場合や、ポンプＬＤ２７から出力される励起光の出力パワーがある程度小さい場合、ポンプＬＤ２７に対する制御方法がオープンループ制御に切り替わる。それによって、ポンプＬＤ２７に対する制御が困難になるのを回避することができる。
【０１５９】
・受信装置の別の例（例７）
図１６は、実施の形態にかかる受信装置の別の例を示す図である。図１６に示すように、受信装置９は、例えば励起ＬＤ電流量監視部３９及び励起ＬＤ電流量下限閾値４０を有していてもよい。また、受信装置９は、例えば光伝送路２１、光カプラ２２、ＰＤ２３、入力監視部２４、入力断閾値２５、増幅ファイバ１１、ポンプＬＤ２７、受信器１５、光カプラ３１、ＰＤ３２、ＡＬＣ制御部３３、出力監視部３４、出力閾値３５及び判定部３６を有していてもよい。
【０１６０】
ＰＤ２３、入力監視部２４、ＰＤ３２、ＡＬＣ制御部３３、出力監視部３４、判定部３６及び励起ＬＤ電流量監視部３９は、制御部の一例である。光伝送路２１、光カプラ２２、ＰＤ２３、入力監視部２４、入力断閾値２５、増幅ファイバ１１、ポンプＬＤ２７、受信器１５、光カプラ３１、ＰＤ３２、ＡＬＣ制御部３３、出力監視部３４、出力閾値３５及び判定部３６については、図１２に示す受信装置９の説明において説明した通りである。従って、重複する説明を省略する。
【０１６１】
励起ＬＤ電流量監視部３９は、ポンプＬＤ２７に接続されている。励起ＬＤ電流量監視部３９は、ポンプＬＤ２７を駆動する電流量、すなわち励起ＬＤの電流量を監視する。ポンプＬＤ２７を駆動する電流量は、励起光源の駆動パラメータの一例である。励起ＬＤ電流量監視部３９には、励起ＬＤ電流量下限閾値４０が与えられる。励起ＬＤ電流量下限閾値４０は、駆動閾値の一例である。励起ＬＤ電流量下限閾値４０は、例えばメモリに記憶されていてもよい。
【０１６２】
励起ＬＤ電流量下限閾値４０には、第１の電流量閾値及び第２の電流量閾値があるとする。第２の電流量閾値は、第１の電流量閾値よりも大きいとする。第１の電流量閾値は、増幅ファイバ１１による信号光の増幅を停止させるための閾値である。第２の電流量閾値は、ポンプＬＤ２７に対する制御方法を変更させるための閾値であるとする。
【０１６３】
従って、励起ＬＤ電流量監視部３９は、監視している励起ＬＤの電流量が第１の電流量閾値よりも大きいか小さいかを判定する。また、励起ＬＤ電流量監視部３９は、監視している励起ＬＤの電流量が第２の電流量閾値よりも大きいか小さいかを判定する。励起ＬＤ電流量監視部３９は、判定結果を判定部３６へ出力する。
【０１６４】
入力監視部２４は、増幅ファイバ１１へ入力される信号光の入力レベルが入力断閾値２５よりも低い場合、ポンプＬＤ２７へ停止信号を出力する。それによって、ポンプＬＤ２７から増幅ファイバ１１への励起光の供給が停止し、増幅ファイバ１１による信号光の増幅が停止するので、光増幅特性や光急変耐力などの特性を満足させることができる。
【０１６５】
判定部３６は、励起ＬＤ電流量監視部３９及び出力監視部３４に接続されている。増幅ファイバ１１から出力される信号光の出力レベルが第２の出力閾値よりも低く、かつ励起ＬＤの電流量が第２の電流量閾値よりも大きい場合、判定部３６は、ポンプＬＤ２７に対する制御方法を変更する指示をＡＬＣ制御部３３へ出力しない。それによって、ＡＬＣ制御部３３は、ポンプＬＤ２７に対して信号出力一定制御を行う。
【０１６６】
増幅ファイバ１１から出力される信号光の出力レベルが第２の出力閾値よりも低く、かつ励起ＬＤの電流量が第１の電流量閾値と第２の電流量閾値との間にある場合、判定部３６は、ポンプＬＤ２７に対する制御方法を変更する指示をＡＬＣ制御部３３へ出力する。それによって、ポンプＬＤ２７に対する制御方法が変更される。
【０１６７】
また、増幅ファイバ１１から出力される信号光の出力レベルが第２の出力閾値と第１の出力閾値との間にある場合、判定部３６は、ポンプＬＤ２７に対する制御方法を変更する指示をＡＬＣ制御部３３へ出力する。それによって、ポンプＬＤ２７に対する制御方法が変更される。
【０１６８】
増幅ファイバ１１から出力される信号光の出力レベルが第１の出力閾値よりも高い場合、判定部３６は、ポンプＬＤ２７へ停止信号を出力する。それによって、ポンプＬＤ２７から増幅ファイバ１１への励起光の供給が停止し、増幅ファイバ１１によって信号光が減衰する。
【０１６９】
また、励起ＬＤの電流量が第１の電流量閾値よりも小さい場合、判定部３６は、ポンプＬＤ２７へ停止信号を出力する。それによって、ポンプＬＤ２７から増幅ファイバ１１への励起光の供給が停止し、増幅ファイバ１１によって信号光が減衰する。
【０１７０】
・図１６に示す受信装置による受信方法の一例
図１７は、図１６に示す受信装置による受信方法の一例を示す図である。なお、図１７においては、「第１の電流量閾値」を「電流量閾値１」と表し、「第２の電流量閾値」を「電流量閾値２」と表す。また、「第１の出力閾値」を「出力閾値１」と表し、「第２の出力閾値」を「出力閾値２」と表す。
【０１７１】
図１７に示すように、受信装置９が立ち上げられると（ステップＳ８１）、出力監視部３４は、増幅ファイバ１１から出力される信号光の出力レベルを監視する（ステップＳ８２）。また、入力監視部２４は、増幅ファイバ１１へ入力される信号光の入力レベルを監視する。入力監視部２４は、監視している入力レベルが入力断閾値以上であるか否かを判断する（ステップＳ８３）。
【０１７２】
入力レベルが入力断閾値以上でない場合（ステップＳ８３：Ｎｏ）、入力監視部２４は、ポンプＬＤ２７へ停止信号を出力する。それによって、ポンプＬＤ２７の駆動が停止し、ポンプＬＤ２７から増幅ファイバ１１への励起光の供給が停止する（ステップＳ９２）。そして、ステップＳ８２へ戻り、ステップＳ８２〜ステップＳ９２を繰り返す。
【０１７３】
入力レベルが入力断閾値以上である場合（ステップＳ８３：Ｙｅｓ）、出力監視部３４は、監視している出力レベルが第１の出力閾値よりも高いか低いか、あるいは第２の出力閾値よりも高いか低いか、を判定する。出力監視部３４は、判定結果を判定部３６へ出力する。
【０１７４】
増幅ファイバ１１から出力される信号光の出力レベルが第２の出力閾値以下である場合（ステップＳ８４：Ｙｅｓ）、判定部３６は、ポンプＬＤ２７へ停止信号を出力しない。また、判定部３６は、ポンプＬＤ２７に対する制御方法を変更する指示をＡＬＣ制御部３３へ出力しない。
【０１７５】
それによって、ポンプＬＤ２７が通常の制御方法、例えば信号出力一定制御によって駆動される。従って、ポンプＬＤ２７から増幅ファイバ１１へ励起光が供給され、増幅ファイバ１１において信号光が増幅される（ステップＳ８５）。
【０１７６】
また、励起ＬＤ電流量監視部３９は、ポンプＬＤ２７から出力される励起ＬＤの電流量を監視する（ステップＳ８６）。励起ＬＤ電流量監視部３９は、監視している励起ＬＤの電流量が第１の電流量閾値よりも高いか低いか、あるいは第２の電流量閾値よりも高いか低いか、を判定する。そして、励起ＬＤ電流量監視部３９は、その判定結果を判定部３６へ出力する。
【０１７７】
励起ＬＤ電流量監視部３９は、監視している励起ＬＤの電流量が第２の電流量閾値以下でない場合（ステップＳ８７：Ｎｏ）、ステップＳ８６へ戻る。そして、励起ＬＤ電流量監視部３９は、励起ＬＤの電流量の監視（ステップＳ８６）、並びに第２の電流量閾値との比較及び判定（ステップＳ８７）を続ける。
【０１７８】
励起ＬＤの電流量と第２の電流量閾値との比較及び判定の結果、励起ＬＤの電流量が第２の電流量閾値以下であると（ステップＳ８７：Ｙｅｓ）、ステップＳ８８へ進む。励起ＬＤの電流量が第１の電流量閾値以下でない場合（ステップＳ８８：Ｎｏ）、判定部３６は、ポンプＬＤ２７へ停止信号を出力せず、ＡＬＣ制御部３３へ制御方法の変更指示を出力する。
【０１７９】
それによって、ポンプＬＤ２７が変更後の制御方法、例えば電流一定制御によって駆動される。従って、ポンプＬＤ２７から増幅ファイバ１１へ低い出力レベルの励起光が供給され、増幅ファイバ１１において信号光が増幅される（ステップＳ８９）。そして、ステップＳ８２へ戻り、ステップＳ８２〜ステップＳ９２を繰り返す。
【０１８０】
励起ＬＤの電流量が第１の電流量閾値以下である場合（ステップＳ８８：Ｙｅｓ）、判定部３６は、ポンプＬＤ２７へ停止信号を出力する。それによって、ポンプＬＤ２７の駆動が停止し、ポンプＬＤ２７から増幅ファイバ１１への励起光の供給が停止する（ステップＳ９２）。そして、ステップＳ８２へ戻り、ステップＳ８２〜ステップＳ９２を繰り返す。
【０１８１】
一方、増幅ファイバ１１から出力される信号光の出力レベルが第２の出力閾値以下でない場合（ステップＳ８４：Ｎｏ）、ステップＳ９０へ進む。増幅ファイバ１１から出力される信号光の出力レベルが第１の出力閾値以下である場合（ステップＳ９０：Ｙｅｓ）、判定部３６は、ポンプＬＤ２７へ停止信号を出力せず、ＡＬＣ制御部３３へ制御方法の変更指示を出力する。
【０１８２】
それによって、ポンプＬＤ２７が変更後の制御方法、例えば電流一定制御によって駆動される。従って、ポンプＬＤ２７から増幅ファイバ１１へ低い出力レベルの励起光が供給され、増幅ファイバ１１において信号光が増幅される（ステップＳ９１）。そして、ステップＳ８２へ戻り、ステップＳ８２〜ステップＳ９２を繰り返す。
【０１８３】
増幅ファイバ１１から出力される信号光の出力レベルが第１の出力閾値以下でない場合（ステップＳ９０：Ｎｏ）、判定部３６は、ポンプＬＤ２７へ停止信号を出力する。それによって、ポンプＬＤ２７の駆動が停止し、ポンプＬＤ２７から増幅ファイバ１１への励起光の供給が停止する（ステップＳ９２）。そして、ステップＳ８２へ戻り、ステップＳ８２〜ステップＳ９２を繰り返す。
【０１８４】
図１６に示す受信装置９及び図１７に示す受信方法によれば、増幅ファイバ１１から出力される信号光の出力レベル、及び励起ＬＤの電流量に基づいてポンプＬＤ２７の駆動、駆動の停止及び駆動の制御方法が制御される。それによって、増幅ファイバ１１により、受信器１５のダイナミックレンジ内に納まるように、信号光が増幅され、または減衰する。従って、光減衰器を設けずに済むことによって、光減衰器で消費される分の電力を削減することができる。また、受信装置９に入力される信号光を、一旦、受信器１５のダイナミックレンジを超えるレベルまで増幅させずに済むことによって、ポンプＬＤ２７の駆動に消費される電力を削減することができる。
【０１８５】
また、増幅ファイバ１１から出力される信号光の出力レベルがある程度高い場合や、励起ＬＤの電流量がある程度小さい場合、ポンプＬＤ２７に対する制御方法がオープンループ制御に切り替わる。それによって、ポンプＬＤ２７に対する制御が困難になるのを回避することができる。また、増幅ファイバ１１の増幅特性及び吸収特性に波長特性がある場合、励起ＬＤの電流量を監視することによって、電流一定制御から信号出力一定制御に戻るときに、波長に応じた信号光の入力レベルで切り替わるように制御することができる。
【０１８６】
・受信装置の別の例（例８）
図１８は、実施の形態にかかる受信装置の別の例を示す図である。図１８に示すように、受信装置９は、例えば励起ＬＤ電流量監視部３９及び励起ＬＤ電流量下限閾値４０を有していてもよい。また、受信装置９は、例えば光伝送路２１、光カプラ２２、ＰＤ２３、入力監視部２４、入力断閾値２５、入力閾値２６、増幅ファイバ１１、ポンプＬＤ２７、受信器１５、光カプラ３１、ＰＤ３２、ＡＬＣ制御部３３、出力監視部３４、出力閾値３５及び判定部３６を有していてもよい。
【０１８７】
ＰＤ２３、入力監視部２４、ＰＤ３２、ＡＬＣ制御部３３、出力監視部３４、判定部３６及び励起ＬＤ電流量監視部３９は、制御部の一例である。励起ＬＤ電流量監視部３９及び励起ＬＤ電流量下限閾値４０については、図１６に示す受信装置９の説明において説明した通りである。また、入力監視部２４及び入力閾値２６については、図８に示す受信装置９の説明において説明した通りである。また、光伝送路２１、光カプラ２２、ＰＤ２３、入力断閾値２５、増幅ファイバ１１、ポンプＬＤ２７、受信器１５、光カプラ３１、ＰＤ３２、ＡＬＣ制御部３３、出力監視部３４、出力閾値３５及び判定部３６については、図１６に示す受信装置９の説明において説明した通りである。従って、重複する説明を省略する。
【０１８８】
入力監視部２４は、ＰＤ２３から供給される電気信号に基づいて、増幅ファイバ１１へ入力される信号光の入力レベルを監視する。入力監視部２４は、監視している入力レベルが第１の入力閾値よりも高いか低いかを判定する。また、入力監視部２４は、監視している入力レベルが第２の入力閾値よりも高いか低いかを判定する。第１の入力閾値及び第２の入力閾値については、図８に示す受信装置９の説明において説明した通りであるので、重複する説明を省略する。入力監視部２４は、判定結果を判定部３６へ出力する。
【０１８９】
判定部３６は、入力監視部２４、励起ＬＤ電流量監視部３９及び出力監視部３４に接続されている。増幅ファイバ１１から出力される信号光の出力レベルが第２の出力閾値よりも低く、かつ増幅ファイバ１１へ入力される信号光の入力レベルが第２の入力閾値よりも低く、かつ励起ＬＤの電流量が第２の電流量閾値よりも大きい場合、判定部３６は、ポンプＬＤ２７に対する制御方法を変更する指示をＡＬＣ制御部３３へ出力しない。それによって、ＡＬＣ制御部３３は、ポンプＬＤ２７に対して信号出力一定制御を行う。
【０１９０】
信号光の出力レベルが第２の出力閾値よりも低く、かつ信号光の入力レベルが第２の入力閾値よりも低く、かつ励起ＬＤの電流量が第１の電流量閾値と第２の電流量閾値との間にある場合、判定部３６は、ポンプＬＤ２７に対する制御方法を変更する指示をＡＬＣ制御部３３へ出力する。それによって、ポンプＬＤ２７に対する制御方法が変更される。
【０１９１】
また、信号光の出力レベルが第２の出力閾値と第１の出力閾値との間にあり、かつ信号光の入力レベルが第２の入力閾値と第１の入力閾値との間にある場合、判定部３６は、ポンプＬＤ２７に対する制御方法を変更する指示をＡＬＣ制御部３３へ出力する。それによって、ポンプＬＤ２７に対する制御方法が変更される。
【０１９２】
信号光の出力レベルが第１の出力閾値よりも高く、かつ信号光の入力レベルが第１の入力閾値よりも高い場合、判定部３６は、ポンプＬＤ２７へ停止信号を出力する。それによって、ポンプＬＤ２７から増幅ファイバ１１への励起光の供給が停止し、増幅ファイバ１１によって信号光が減衰する。
【０１９３】
また、励起ＬＤの電流量が第１の電流量閾値よりも小さい場合、判定部３６は、ポンプＬＤ２７へ停止信号を出力する。それによって、ポンプＬＤ２７から増幅ファイバ１１への励起光の供給が停止し、増幅ファイバ１１によって信号光が減衰する。
【０１９４】
・図１８に示す受信装置による受信方法の一例
図１９は、図１８に示す受信装置による受信方法の一例を示す図である。なお、図１９においては、「第１の電流量閾値」を「電流量閾値１」と表し、「第２の電流量閾値」を「電流量閾値２」と表す。また、「第１の入力閾値」を「入力閾値１」と表し、「第２の入力閾値」を「入力閾値２」と表す。また、「第１の出力閾値」を「出力閾値１」と表し、「第２の出力閾値」を「出力閾値２」と表す。
【０１９５】
図１９に示すように、受信装置９が立ち上げられると（ステップＳ１０１）、入力監視部２４は、増幅ファイバ１１へ入力される信号光の入力レベルを監視する。出力監視部３４は、増幅ファイバ１１から出力される信号光の出力レベルを監視する（ステップＳ１０２）。そして、入力監視部２４は、監視している入力レベルが入力断閾値以上であるか否かを判断する（ステップＳ１０３）。
【０１９６】
入力レベルが入力断閾値以上でない場合（ステップＳ１０３：Ｎｏ）、入力監視部２４は、ポンプＬＤ２７へ停止信号を出力する。それによって、ポンプＬＤ２７の駆動が停止し、ポンプＬＤ２７から増幅ファイバ１１への励起光の供給が停止する（ステップＳ１１２）。そして、ステップＳ１０２へ戻り、ステップＳ１０２〜ステップＳ１１２を繰り返す。
【０１９７】
入力レベルが入力断閾値以上である場合（ステップＳ１０３：Ｙｅｓ）、入力監視部２４は、監視している入力レベルが第１の入力閾値よりも高いか低いか、あるいは第２の入力閾値よりも高いか低いか、を判定する。そして、入力監視部２４は、その判定結果を判定部３６へ出力する。また、出力監視部３４は、監視している出力レベルが第１の出力閾値よりも高いか低いか、あるいは第２の出力閾値よりも高いか低いか、を判定する。出力監視部３４は、判定結果を判定部３６へ出力する。
【０１９８】
受信装置９への信号光の入力レベルが第２の入力閾値以下であり、かつ増幅ファイバ１１から出力される信号光の出力レベルが第２の出力閾値以下である場合（ステップＳ１０４：Ｙｅｓ）、判定部３６は、ポンプＬＤ２７へ停止信号を出力しない。また、判定部３６は、ポンプＬＤ２７に対する制御方法を変更する指示をＡＬＣ制御部３３へ出力しない。
【０１９９】
それによって、ポンプＬＤ２７が通常の制御方法、例えば信号出力一定制御によって駆動される。従って、ポンプＬＤ２７から増幅ファイバ１１へ励起光が供給され、増幅ファイバ１１において信号光が増幅される（ステップＳ１０５）。
【０２００】
また、励起ＬＤ電流量監視部３９は、ポンプＬＤ２７から出力される励起ＬＤの電流量を監視する（ステップＳ１０６）。励起ＬＤ電流量監視部３９は、監視している励起ＬＤの電流量が第１の電流量閾値よりも高いか低いか、あるいは第２の電流量閾値よりも高いか低いか、を判定する。そして、励起ＬＤ電流量監視部３９は、その判定結果を判定部３６へ出力する。
【０２０１】
励起ＬＤ電流量監視部３９は、監視している励起ＬＤの電流量が第２の電流量閾値以下でない場合（ステップＳ１０７：Ｎｏ）、ステップＳ１０６へ戻る。そして、励起ＬＤ電流量監視部３９は、励起ＬＤの電流量の監視（ステップＳ１０６）、並びに第２の電流量閾値との比較及び判定（ステップＳ１０７）を続ける。
【０２０２】
励起ＬＤの電流量と第２の電流量閾値との比較及び判定の結果、励起ＬＤの電流量が第２の電流量閾値以下であると（ステップＳ１０７：Ｙｅｓ）、ステップＳ１０８へ進む。励起ＬＤの電流量が第１の電流量閾値以下でない場合（ステップＳ１０８：Ｎｏ）、判定部３６は、ポンプＬＤ２７へ停止信号を出力せず、ＡＬＣ制御部３３へ制御方法の変更指示を出力する。
【０２０３】
それによって、ポンプＬＤ２７が変更後の制御方法、例えば電流一定制御によって駆動される。従って、ポンプＬＤ２７から増幅ファイバ１１へ低い出力レベルの励起光が供給され、増幅ファイバ１１において信号光が増幅される（ステップＳ１０９）。そして、ステップＳ１０２へ戻り、ステップＳ１０２〜ステップＳ１１２を繰り返す。
【０２０４】
励起ＬＤの電流量が第１の電流量閾値以下である場合（ステップＳ１０８：Ｙｅｓ）、判定部３６は、ポンプＬＤ２７へ停止信号を出力する。それによって、ポンプＬＤ２７の駆動が停止し、ポンプＬＤ２７から増幅ファイバ１１への励起光の供給が停止する（ステップＳ１１２）。そして、ステップＳ１０２へ戻り、ステップＳ１０２〜ステップＳ１１２を繰り返す。
【０２０５】
一方、受信装置９への信号光の入力レベルが第２の入力閾値以下でないか、または増幅ファイバ１１から出力される信号光の出力レベルが第２の出力閾値以下でない場合（ステップＳ１０４：Ｎｏ）、ステップＳ１１０へ進む。受信装置９への信号光の入力レベルが第１の入力閾値以下であり、かつ増幅ファイバ１１から出力される信号光の出力レベルが第１の出力閾値以下である場合（ステップＳ１１０：Ｙｅｓ）、判定部３６は、ポンプＬＤ２７へ停止信号を出力せず、ＡＬＣ制御部３３へ制御方法の変更指示を出力する。
【０２０６】
それによって、ポンプＬＤ２７が変更後の制御方法、例えば電流一定制御によって駆動される。従って、ポンプＬＤ２７から増幅ファイバ１１へ低い出力レベルの励起光が供給され、増幅ファイバ１１において信号光が増幅される（ステップＳ１１１）。そして、ステップＳ１０２へ戻り、ステップＳ１０２〜ステップＳ１１２を繰り返す。
【０２０７】
受信装置９への信号光の入力レベルが第１の入力閾値以下でないか、または増幅ファイバ１１から出力される信号光の出力レベルが第１の出力閾値以下でない場合（ステップＳ１１０：Ｎｏ）、判定部３６は、ポンプＬＤ２７へ停止信号を出力する。それによって、ポンプＬＤ２７の駆動が停止し、ポンプＬＤ２７から増幅ファイバ１１への励起光の供給が停止する（ステップＳ１１２）。そして、ステップＳ１０２へ戻り、ステップＳ１０２〜ステップＳ１１２を繰り返す。
【０２０８】
図１８に示す受信装置９及び図１９に示す受信方法によれば、増幅ファイバ１１への信号光の入力レベル、増幅ファイバ１１からの信号光の出力レベル、及び励起ＬＤの電流量に基づいてポンプＬＤ２７の駆動、駆動の停止及び駆動の制御方法が制御される。それによって、増幅ファイバ１１により、受信器１５のダイナミックレンジ内に納まるように、信号光が増幅され、または減衰する。従って、光減衰器を設けずに済むことによって、光減衰器で消費される分の電力を削減することができる。また、受信装置９に入力される信号光を、一旦、受信器１５のダイナミックレンジを超えるレベルまで増幅させずに済むことによって、ポンプＬＤ２７の駆動に消費される電力を削減することができる。
【０２０９】
また、増幅ファイバ１１への信号光の入力レベルがある程度高い場合や、増幅ファイバ１１からの信号光の出力レベルがある程度高い場合や、ポンプＬＤ２７から出力される励起ＬＤの電流量がある程度小さい場合、ポンプＬＤ２７に対する制御方法がオープンループ制御に切り替わる。それによって、ポンプＬＤ２７に対する制御が困難になるのを回避することができる。
【０２１０】
・受信装置の別の例（例９）
図２０は、実施の形態にかかる受信装置の別の例を示す図である。図２０に示すように、受信装置９は、波長情報を用いて信号光を受信する受信器１５を有していてもよい。デジタルコヒーレント受信器は、波長情報を用いて信号光を受信する受信器１５の一例である。
【０２１１】
受信器１５は、受信器１５により受信される信号光の波長に関する情報である波長情報５１を有する。受信器１５は、波長情報５１に基づいてローカル光源５２から信号光と同じ波長のローカル光を出力させ、受信部５３により、信号光とローカル光とを干渉させて受信処理を行う。
【０２１２】
受信装置９は、各パラメータ閾値４１を有していてもよい。また、受信装置９は、例えば光伝送路２１、光カプラ２２、ＰＤ２３、入力監視部２４、入力断閾値２５、増幅ファイバ１１、ポンプＬＤ２７、光カプラ３１、ＰＤ３２、ＡＬＣ制御部３３、出力監視部３４、判定部３６及び励起光パワー監視部３７を有していてもよい。
【０２１３】
ＰＤ２３、入力監視部２４、ＰＤ３２、ＡＬＣ制御部３３、出力監視部３４、判定部３６及び励起光パワー監視部３７は、制御部の一例である。光伝送路２１、光カプラ２２、ＰＤ２３、入力監視部２４、入力断閾値２５、増幅ファイバ１１、ポンプＬＤ２７、光カプラ３１、ＰＤ３２、ＡＬＣ制御部３３、出力監視部３４、判定部３６及び励起光パワー監視部３７については、図１４に示す受信装置９の説明において説明した通りである。従って、重複する説明を省略する。
【０２１４】
各パラメータ閾値４１は、種々の波長に対応する例えば第１の入力閾値、第２の入力閾値、第１の出力閾値、第２の出力閾値、第１の励起光パワー閾値及び第２の励起光パワー閾値を有する。各パラメータ閾値４１には、波長情報５１に基づいて、信号光の波長に対応する例えば第１の入力閾値、第２の入力閾値、第１の出力閾値、第２の出力閾値、第１の励起光パワー閾値及び第２の励起光パワー閾値が設定される。各閾値は、例えばメモリに記憶されてもよいし、ハードウェアやソフトウェアによって固定値を設定するようにしてもよい。
【０２１５】
入力監視部２４、出力監視部３４及び励起光パワー監視部３７は、各パラメータ閾値４１に接続されている。入力監視部２４には、各パラメータ閾値４１から第１の入力閾値及び第２の入力閾値が与えられてもよい。出力監視部３４には、各パラメータ閾値４１から第１の出力閾値及び第２の出力閾値が与えられてもよい。励起光パワー監視部３７には、各パラメータ閾値４１から第１の励起光パワー閾値及び第２の励起光パワー閾値が与えられてもよい。
【０２１６】
・図２０に示す受信装置による受信方法の一例
図２１は、図２０に示す受信装置による受信方法の一例を示す図である。なお、図２１においては、「第１の励起光パワー閾値」を「励起光パワー閾値１」と表し、「第２の励起光パワー閾値」を「励起光パワー閾値２」と表す。また、「第１の入力閾値」を「入力閾値１」と表し、「第２の入力閾値」を「入力閾値２」と表す。また、「第１の出力閾値」を「出力閾値１」と表し、「第２の出力閾値」を「出力閾値２」と表す。
【０２１７】
図２１に示すように、受信装置９が立ち上げられると（ステップＳ１２１）、入力監視部２４は、増幅ファイバ１１へ入力される信号光の入力レベルを監視する。出力監視部３４は、増幅ファイバ１１から出力される信号光の出力レベルを監視する（ステップＳ１２２）。そして、入力監視部２４は、監視している入力レベルが入力断閾値以上であるか否かを判断する（ステップＳ１２３）。
【０２１８】
入力レベルが入力断閾値以上でない場合（ステップＳ１２３：Ｎｏ）、入力監視部２４は、ポンプＬＤ２７へ停止信号を出力する。それによって、ポンプＬＤ２７の駆動が停止し、ポンプＬＤ２７から増幅ファイバ１１への励起光の供給が停止する（ステップＳ１３２）。そして、ステップＳ１２２へ戻り、ステップＳ１２２〜ステップＳ１３２を繰り返す。
【０２１９】
また、受信装置９の立ち上げとともに、受信装置９は波長情報５１を取得する（ステップＳ１４１）。そして、波長情報５１に基づいて各パラメータ閾値４１には、信号光の波長に対応する例えば第１の入力閾値、第２の入力閾値、第１の出力閾値、第２の出力閾値、第１の励起光パワー閾値及び第２の励起光パワー閾値が設定される（ステップＳ１４２〜ステップＳ１４５）。
【０２２０】
入力レベルが入力断閾値以上である場合（ステップＳ１２３：Ｙｅｓ）、入力監視部２４は、監視している入力レベルが第１の入力閾値よりも高いか低いか、あるいは第２の入力閾値よりも高いか低いか、を判定する。そして、入力監視部２４は、その判定結果を判定部３６へ出力する。また、出力監視部３４は、監視している出力レベルが第１の出力閾値よりも高いか低いか、あるいは第２の出力閾値よりも高いか低いか、を判定する。出力監視部３４は、判定結果を判定部３６へ出力する。
【０２２１】
受信装置９への信号光の入力レベルが第２の入力閾値以下であり、かつ増幅ファイバ１１から出力される信号光の出力レベルが第２の出力閾値以下である場合（ステップＳ１２４：Ｙｅｓ）、判定部３６は、ポンプＬＤ２７へ停止信号を出力しない。また、判定部３６は、ポンプＬＤ２７に対する制御方法を変更する指示をＡＬＣ制御部３３へ出力しない。
【０２２２】
それによって、ポンプＬＤ２７が通常の制御方法、例えば信号出力一定制御によって駆動される。従って、ポンプＬＤ２７から増幅ファイバ１１へ励起光が供給され、増幅ファイバ１１において信号光が増幅される（ステップＳ１２５）。
【０２２３】
また、励起光パワー監視部３７は、ポンプＬＤ２７から出力される励起光の出力パワーを監視する（ステップＳ１２６）。励起光パワー監視部３７は、監視している励起光の出力パワーが第１の励起光パワー閾値よりも高いか低いか、あるいは第２の励起光パワー閾値よりも高いか低いか、を判定する。そして、励起光パワー監視部３７は、その判定結果を判定部３６へ出力する。
【０２２４】
励起光パワー監視部３７は、監視している励起光の出力パワーが第２の励起光パワー閾値以下でない場合（ステップＳ１２７：Ｎｏ）、ステップＳ１２６へ戻る。そして、励起光パワー監視部３７は、励起光の出力パワーの監視（ステップＳ１２６）、並びに第２の励起光パワー閾値との比較及び判定（ステップＳ１２７）を続ける。
【０２２５】
励起光の出力パワーと第２の励起光パワー閾値との比較及び判定の結果、励起光の出力パワーが第２の励起光パワー閾値以下であると（ステップＳ１２７：Ｙｅｓ）、ステップＳ１２８へ進む。励起光の出力パワーが第１の励起光パワー閾値以下でない場合（ステップＳ１２８：Ｎｏ）、判定部３６は、ポンプＬＤ２７へ停止信号を出力せず、ＡＬＣ制御部３３へ制御方法の変更指示を出力する。
【０２２６】
それによって、ポンプＬＤ２７が変更後の制御方法、例えば電流一定制御によって駆動される。従って、ポンプＬＤ２７から増幅ファイバ１１へ低い出力レベルの励起光が供給され、増幅ファイバ１１において信号光が増幅される（ステップＳ１２９）。そして、ステップＳ１２２へ戻り、ステップＳ１２２〜ステップＳ１３２を繰り返す。
【０２２７】
励起光の出力パワーが第１の励起光パワー閾値以下である場合（ステップＳ１２８：Ｙｅｓ）、判定部３６は、ポンプＬＤ２７へ停止信号を出力する。それによって、ポンプＬＤ２７の駆動が停止し、ポンプＬＤ２７から増幅ファイバ１１への励起光の供給が停止する（ステップＳ１３２）。そして、ステップＳ１２２へ戻り、ステップＳ１２２〜ステップＳ１３２を繰り返す。
【０２２８】
一方、受信装置９への信号光の入力レベルが第２の入力閾値以下でないか、または増幅ファイバ１１から出力される信号光の出力レベルが第２の出力閾値以下でない場合（ステップＳ１２４：Ｎｏ）、ステップＳ１３０へ進む。受信装置９への信号光の入力レベルが第１の入力閾値以下であり、かつ増幅ファイバ１１から出力される信号光の出力レベルが第１の出力閾値以下である場合（ステップＳ１３０：Ｙｅｓ）、判定部３６は、ポンプＬＤ２７へ停止信号を出力せず、ＡＬＣ制御部３３へ制御方法の変更指示を出力する。
【０２２９】
それによって、ポンプＬＤ２７が変更後の制御方法、例えば電流一定制御によって駆動される。従って、ポンプＬＤ２７から増幅ファイバ１１へ低い出力レベルの励起光が供給され、増幅ファイバ１１において信号光が増幅される（ステップＳ１３１）。そして、ステップＳ１２２へ戻り、ステップＳ１２２〜ステップＳ１３２を繰り返す。
【０２３０】
受信装置９への信号光の入力レベルが第１の入力閾値以下でないか、または増幅ファイバ１１から出力される信号光の出力レベルが第１の出力閾値以下でない場合（ステップＳ１３０：Ｎｏ）、判定部３６は、ポンプＬＤ２７へ停止信号を出力する。それによって、ポンプＬＤ２７の駆動が停止し、ポンプＬＤ２７から増幅ファイバ１１への励起光の供給が停止する（ステップＳ１３２）。そして、ステップＳ１２２へ戻り、ステップＳ１２２〜ステップＳ１３２を繰り返す。
【０２３１】
図２０に示す受信装置９及び図２１に示す受信方法によれば、種々の波長に対応する閾値群の中から信号光の波長に対応する閾値が各パラメータ閾値４１に設定される。それによって、波長ごとに異なるレベルで増幅ファイバ１１による増幅を停止させることができる。また、波長ごとに異なるレベルで増幅ファイバ１１による増幅の制御方法を変更させることができる。なお、受信器１５は、デジタルコヒーレント受信器に限らず、信号光の波長情報を出力可能な受信器であれば、いかなる受信器でもよい。
【０２３２】
・受信装置の別の例（例１０）
図２２は、実施の形態にかかる受信装置の別の例を示す図である。図２２に示すように、受信装置９は、ユーザにより設定される波長情報を用いて信号光を受信する受信器１５を有していてもよい。デジタルコヒーレント受信器は、ユーザにより設定される波長情報を用いて信号光を受信することができる。
【０２３３】
受信器１５は、ユーザにより設定される波長情報５１に基づいてローカル光源５２から信号光と同じ波長のローカル光を出力させ、受信部５３により、信号光とローカル光とを干渉させて受信処理を行う。
【０２３４】
受信装置９は、各パラメータ閾値４１を有していてもよい。また、受信装置９は、例えば光伝送路２１、光カプラ２２、ＰＤ２３、入力監視部２４、入力断閾値２５、増幅ファイバ１１、ポンプＬＤ２７、光カプラ３１、ＰＤ３２、ＡＬＣ制御部３３、出力監視部３４、判定部３６及び励起光パワー監視部３７を有していてもよい。
【０２３５】
ＰＤ２３、入力監視部２４、ＰＤ３２、ＡＬＣ制御部３３、出力監視部３４、判定部３６及び励起光パワー監視部３７は、制御部の一例である。光伝送路２１、光カプラ２２、ＰＤ２３、入力監視部２４、入力断閾値２５、増幅ファイバ１１、ポンプＬＤ２７、光カプラ３１、ＰＤ３２、ＡＬＣ制御部３３、出力監視部３４、判定部３６、励起光パワー監視部３７及び各パラメータ閾値４１については、図２０に示す受信装置９の説明において説明した通りである。従って、重複する説明を省略する。
【０２３６】
・図２２に示す受信装置による受信方法の一例
図２２に示す受信装置による受信方法の一例については、図２１に示す受信方法と同様である。従って、重複する説明を省略する。
【０２３７】
図２２に示す受信装置９によれば、種々の波長に対応する閾値群の中からユーザにより設定される波長情報５１に対応する閾値が各パラメータ閾値４１に設定される。それによって、波長ごとに異なるレベルで増幅ファイバ１１による増幅を停止させることができる。また、波長ごとに異なるレベルで増幅ファイバ１１による増幅の制御方法を変更させることができる。なお、受信器１５は、デジタルコヒーレント受信器に限らず、信号光の波長情報を出力可能な受信器であれば、いかなる受信器でもよい。
【０２３８】
なお、受信装置９への信号光の入力レベルと励起光の出力パワーとの組み合わせに基づいてポンプＬＤ２７の駆動、駆動の停止及び駆動の制御方法を制御してもよい。また、受信装置９への信号光の入力レベルと励起ＬＤの電流量との組み合わせに基づいてポンプＬＤ２７の駆動、駆動の停止及び駆動の制御方法を制御してもよい。また、上述した各実施例において、ポンプＬＤ２７に対する制御方法を、利得一定制御（Ａｕｔｏｍａｔｉｃ  Ｇａｉｎ  Ｃｏｎｔｒｏｌ：ＡＧＣ）から信号出力一定制御へ切り替えるようにしてもよいし、利得一定制御から電流一定制御へ切り替えるようにしてもよい。つまり、ポンプＬＤ２７に対する制御方法の組み合わせについては、種々の組み合わせが可能である。
【０２３９】
上述した各実施例を含む実施形態に関し、さらに以下の付記を開示する。
【０２４０】
（付記１）信号光を受信する受信器と、前記受信器へ入力される信号光のレベルが前記受信器のダイナミックレンジ内に納まるように、励起光の供給時に信号光を増幅し、励起光の供給停止時に信号光を減衰させる特性を有する増幅ファイバと、前記増幅ファイバに励起光を供給する励起光源と、前記励起光源から前記増幅ファイバへの励起光の供給及び停止を制御する制御部と、を有し、前記制御部は、前記増幅ファイバへ入力される信号光のレベルが第１の入力閾値よりも高いか、前記増幅ファイバから出力される信号光のレベルが第１の出力閾値よりも高いか、または前記励起光源の駆動パラメータが第１の駆動閾値よりも小さい場合に、前記励起光の供給を停止することを特徴とする受信装置。
【０２４１】
（付記２）前記制御部は、前記増幅ファイバへ入力される信号光のレベルが前記第１の入力閾値よりも高く、かつ前記増幅ファイバから出力される信号光のレベルが前記第１の出力閾値よりも高い場合に、前記励起光の供給を停止することを特徴とする付記１に記載の受信装置。
【０２４２】
（付記３）前記制御部は、前記増幅ファイバから出力される信号光のレベルが前記第１の出力閾値よりも高いか、または前記励起光源の駆動パラメータが前記第１の駆動閾値よりも小さい場合に、前記励起光の供給を停止することを特徴とする付記１に記載の受信装置。
【０２４３】
（付記４）前記制御部は、前記増幅ファイバから出力される信号光のレベルが前記第１の出力閾値よりも高く、かつ前記増幅ファイバへ入力される信号光のレベルが前記第１の入力閾値よりも低い場合、または前記励起光源の駆動パラメータが前記第１の駆動閾値よりも小さい場合に、前記励起光の供給を停止することを特徴とする付記１に記載の受信装置。
【０２４４】
（付記５）前記制御部は、前記増幅ファイバへ入力される信号光のレベルが、前記第１の入力閾値よりも低い第２の入力閾値よりもさらに低いか、前記増幅ファイバから出力される信号光のレベルが、前記第１の出力閾値よりも低い第２の出力閾値よりもさらに低いか、または前記励起光源の駆動パラメータが、前記第１の駆動閾値よりも大きい第２の駆動閾値よりもさらに大きい場合に、前記増幅ファイバから出力される信号光のレベルに基づいて前記励起光源の駆動状態を制御するフィードバック制御を行い、前記増幅ファイバへ入力される信号光のレベルが前記第２の入力閾値よりも高く、かつ前記第１の入力閾値よりも低いか、前記増幅ファイバから出力される信号光のレベルが前記第２の出力閾値よりも高く、かつ前記第１の出力閾値よりも低いか、または前記励起光源の駆動パラメータが前記第１の駆動閾値よりも大きく、かつ前記第２の駆動閾値よりも小さい場合に、前記フィードバック制御を停止することを特徴とする付記１に記載の受信装置。
【０２４５】
（付記６）前記制御部は、前記増幅ファイバへ入力される信号光のレベルが、前記第１の入力閾値よりも低い第２の入力閾値よりもさらに低く、かつ前記増幅ファイバから出力される信号光のレベルが、前記第１の出力閾値よりも低い第２の出力閾値よりもさらに低い場合に、前記増幅ファイバから出力される信号光のレベルに基づいて前記励起光源の駆動状態を制御するフィードバック制御を行い、前記増幅ファイバへ入力される信号光のレベルが前記第２の入力閾値よりも高くて前記第１の入力閾値よりも低く、かつ前記増幅ファイバから出力される信号光のレベルが前記第２の出力閾値よりも高くて前記第１の出力閾値よりも低い場合に、前記フィードバック制御を停止することを特徴とする付記２に記載の受信装置。
【０２４６】
（付記７）前記制御部は、前記増幅ファイバから出力される信号光のレベルが、前記第１の出力閾値よりも低い第２の出力閾値よりもさらに低く、かつ前記励起光源の駆動パラメータが、前記第１の駆動閾値よりも大きい第２の駆動閾値よりもさらに大きい場合に、前記増幅ファイバから出力される信号光のレベルに基づいて前記励起光源の駆動状態を制御するフィードバック制御を行い、前記増幅ファイバから出力される信号光のレベルが前記第２の出力閾値よりも高くて前記第１の出力閾値よりも低いか、または前記励起光源の駆動パラメータが、前記第２の駆動閾値よりも小さくて前記第１の駆動閾値よりも大きい場合に、前記フィードバック制御を停止することを特徴とする付記３に記載の受信装置。
【０２４７】
（付記８）前記制御部は、前記増幅ファイバから出力される信号光のレベルが、前記第１の出力閾値よりも低い第２の出力閾値よりもさらに低く、かつ前記増幅ファイバへ入力される信号光のレベルが前記第１の入力閾値よりも低い第２の入力閾値よりもさらに低く、かつ前記励起光源の駆動パラメータが、前記第１の駆動閾値よりも大きい第２の駆動閾値よりもさらに大きい場合に、前記増幅ファイバから出力される信号光のレベルに基づいて前記励起光源の駆動状態を制御するフィードバック制御を行い、前記増幅ファイバから出力される信号光のレベルが前記第２の出力閾値よりも高くて前記第１の出力閾値よりも低く、かつ前記増幅ファイバへ入力される信号光のレベルが前記第２の入力閾値よりも高くて前記第１の入力閾値よりも低いか、または前記励起光源の駆動パラメータが、前記第２の駆動閾値よりも小さくて前記第１の駆動閾値よりも大きい場合に、前記フィードバック制御を停止することを特徴とする付記４に記載の受信装置。
【０２４８】
（付記９）複数の波長のそれぞれに対して前記第１の入力閾値、前記第１の出力閾値及び前記第１の駆動閾値を有し、前記制御部は、前記信号光の波長に応じて前記第１の入力閾値、前記第１の出力閾値及び前記第１の駆動閾値を選択して用いることを特徴とする付記１乃至４のいずれか一項に記載の受信装置。
【０２４９】
（付記１０）複数の波長のそれぞれに対して前記第１の入力閾値、前記第２の入力閾値、前記第１の出力閾値、前記第２の出力閾値、前記第１の駆動閾値及び前記第２の駆動閾値を有し、前記制御部は、前記信号光の波長に応じて前記第１の入力閾値、前記第２の入力閾値、前記第１の出力閾値、前記第２の出力閾値、前記第１の駆動閾値及び前記第２の駆動閾値を選択して用いることを特徴とする付記５乃至８のいずれか一項に記載の受信装置。
【０２５０】
（付記１１）信号光を受信する受信器へ入力される信号光のレベルが前記受信器のダイナミックレンジ内に納まるように、励起光の供給時に信号光を増幅し、励起光の供給停止時に信号光を減衰させる特性を有する増幅ファイバへ入力される信号光のレベル、前記増幅ファイバから出力される信号光のレベル、及び前記増幅ファイバに励起光を供給する励起光源の駆動パラメータのいずれか一つ以上を監視し、前記増幅ファイバへ入力される信号光のレベルが第１の入力閾値よりも低いか、前記増幅ファイバから出力される信号光のレベルが第１の出力閾値よりも低いか、または前記励起光源の駆動パラメータが第１の駆動閾値よりも大きい場合に、前記励起光源から前記増幅ファイバへ励起光を供給し、前記増幅ファイバへ入力される信号光のレベルが前記第１の入力閾値よりも高いか、前記増幅ファイバから出力される信号光のレベルが前記第１の出力閾値よりも高いか、または前記励起光源の駆動パラメータが前記第１の駆動閾値よりも小さい場合に、前記励起光源から前記増幅ファイバへの励起光の供給を停止することを特徴とする受信方法。
【０２５１】
（付記１２）前記増幅ファイバへ入力される信号光のレベルが、前記第１の入力閾値よりも低い第２の入力閾値よりもさらに低いか、前記増幅ファイバから出力される信号光のレベルが、前記第１の出力閾値よりも低い第２の出力閾値よりもさらに低いか、または前記励起光源の駆動パラメータが、前記第１の駆動閾値よりも大きい第２の駆動閾値よりもさらに大きい場合に、前記増幅ファイバから出力される信号光のレベルに基づいて前記励起光源の駆動状態を制御するフィードバック制御を行い、前記増幅ファイバへ入力される信号光のレベルが前記第２の入力閾値よりも高く、かつ前記第１の入力閾値よりも低いか、前記増幅ファイバから出力される信号光のレベルが前記第２の出力閾値よりも高く、かつ前記第１の出力閾値よりも低いか、または前記励起光源の駆動パラメータが前記第１の駆動閾値よりも大きく、かつ前記第２の駆動閾値よりも小さい場合に、前記フィードバック制御を停止することを特徴とする付記１１に記載の受信方法。
【符号の説明】
【０２５２】
９  受信装置
１１  増幅ファイバ
１２  励起光源
１３  制御部
１４  閾値
１５  受信器
【図１】
2014049988.tif 000003
【図２】
2014049988.tif 000004
【図３】
2014049988.tif 000005
【図４】
2014049988.tif 000006
【図５】
2014049988.tif 000007
【図６】
2014049988.tif 000008
【図７】
2014049988.tif 000009
【図８】
2014049988.tif 000010
【図９】
2014049988.tif 000011
【図１０】
2014049988.tif 000012
【図１１】
2014049988.tif 000013
【図１２】
2014049988.tif 000014
【図１３】
2014049988.tif 000015
【図１４】
2014049988.tif 000016
【図１５】
2014049988.tif 000017
【図１６】
2014049988.tif 000018
【図１７】
2014049988.tif 000019
【図１８】
2014049988.tif 000020
【図１９】
2014049988.tif 000021
【図２０】
2014049988.tif 000022
【図２１】
2014049988.tif 000023
【図２２】
2014049988.tif 000024